(57)【要約】送信端末（Ｍ１）は、自己における経路の特性を測定して特性測定用パケット（ＲＭＰ）を作成し、その作成した特性測定用パケット（ＲＭＰ）を中継端末（Ｍ１，Ｍ２）へ送信し、中継端末（Ｍ１，Ｍ２）は、特性測定用パケット（ＲＭＰ）を受信すると、自己における経路の特性を測定し、その測定した経路の特性によって特性測定用パケット（ＲＭＰ）に含まれる経路の特性を更新して無線通信経路の特性を送信先端末（Ｍ８）へ送信する。また、送信端末（Ｍ１）は、アドミッション要求パケット（ＡＤＤＴＳｒｅｑｕｅｓｔ）を作成して送信先端末（Ｍ８）へ送信し、送信先端末（Ｍ８）は、アドミッション要求パケット（ＡＤＤＴＳｒｅｑｕｅｓｔ）を受信すると、無線通信経路の特性に基づいて、トラフィックのＱｏＳ要求を許可または拒否し、ＱｏＳ要求の許可または拒否をアドミッション応答パケット（ＡＤＤＴＳｒｅｐｌｙ）に含めて送信端末（Ｍ１）へ送信する。【選択図】図１２
2007102208.tif 000002
【特許請求の範囲】
【請求項１】
送信元である第１の無線装置（Ｍ１）と、
送信先である第２の無線装置（Ｍ８）と、
前記第１および第２の無線装置（Ｍ１，Ｍ８）間で無線通信を中継する第３の無線装置（Ｍ２，Ｍ５）と、
前記第３の無線装置（Ｍ２，Ｍ５）を介して前記第１の無線装置（Ｍ１）から前記第２の無線装置（Ｍ８）へ至る無線通信経路の特性に基づいて、前記第１の無線装置（Ｍ１）から前記第２の無線装置（Ｍ８）へ送信されるパケットの流れであるトラフィックの品質を所定の品質に保持して前記トラフィックを送信することを要求する品質保持要求（ＱｏＳ）を許可または拒否する無線制御局（１７７）とを備え、
前記第１および第３の無線装置（Ｍ１，Ｍ２，Ｍ５）は、前記無線通信経路の特性を測定し、
前記無線制御局（１７７）は、前記測定された無線通信経路の特性を受信し、その受信した無線通信経路の特性に基づいて、前記品質保持要求（ＱｏＳ）を許可または拒否し、
前記第１の無線装置（Ｍ１）は、前記無線制御局（１７７）が前記品質保持要求（ＱｏＳ）を許可すると、前記第３の無線装置（Ｍ２，Ｍ５）を介して前記第２の無線装置（Ｍ８）へ前記トラフィックの送信を開始する、マルチホップ無線ネットワークシステム。
【請求項２】
前記無線制御局（１７７）は、前記第２の無線装置（Ｍ８）に設けられ、
前記第１および第３の無線装置（Ｍ１，Ｍ２，Ｍ５）は、前記測定した無線通信経路の特性を前記第２の無線装置（Ｍ８）へ送信し、
前記第２の無線装置（Ｍ８）は、前記測定された無線通信経路の特性に基づいて、前記品質保持要求（ＱｏＳ）を許可または拒否する、請求の範囲第１項に記載のマルチホップ無線ネットワークシステム。
【請求項３】
前記第１の無線装置（Ｍ１）は、自己における前記無線通信経路の特性である第１の特性を測定し、その測定した第１の特性を含み、かつ、前記無線通信経路の特性の測定を要求する特性測定用パケット（ＲＭＰ）を前記第３の無線装置（Ｍ２，Ｍ５）へ送信し、
前記第３の無線装置（Ｍ２，Ｍ５）は、前記特性測定用パケット（ＲＭＰ）を受信すると、自己における前記無線通信経路の特性である第２の特性を測定し、前記特性測定用パケット（ＲＭＰ）に含まれる第１の特性を前記測定した第２の特性を用いて第３の特性に更新し、その更新した第３の特性を含む特性測定用パケット（ＲＭＰ）を前記第２の無線装置（Ｍ８）へ送信し、
前記第２の無線装置（Ｍ８）は、前記特性測定用パケット（ＲＭＰ）を受信すると、前記特性測定用パケット（ＲＭＰ）に含まれる前記第３の特性に基づいて、前記品質保持要求（ＱｏＳ）を許可または拒否する、請求の範囲第２項に記載のマルチホップ無線ネットワークシステム。
【請求項４】
前記第１の無線装置（Ｍ１）は、前記トラフィックの要求品質を含み、かつ、前記品質保持要求（ＱｏＳ）の許可または拒否の判断を要求する判断要求パケットを前記第３の無線装置（Ｍ２，Ｍ５）を介して前記第２の無線装置（Ｍ８）へ送信し、
前記第２の無線装置（Ｍ８）は、前記判断要求パケットを受信すると、前記第３の特性に基づいて前記品質保持要求（ＱｏＳ）を許可または拒否し、前記品質保持要求（ＱｏＳ）の許可および前記トラフィックの要求品質を含む第１の判断応答パケットまたは前記品質保持要求（ＱｏＳ）の拒否を含む第２の判断応答パケットを前記第３の無線装置（Ｍ２，Ｍ５）を介して前記第１の無線装置（Ｍ１）へ送信する、請求の範囲第３項に記載のマルチホップ無線ネットワークシステム。
【請求項５】
前記第３の無線装置（Ｍ２，Ｍ５）は、前記第１の判断応答パケットを前記第２の無線装置（Ｍ８）から受信すると、前記第１の判断応答パケットに含まれるトラフィックの要求品質を満たす通信帯域を確保して前記第１の判断応答パケットを前記第１の無線装置（Ｍ１）へ送信し、前記第２の判断応答パケットを前記第２の無線装置（Ｍ８）から受信すると、前記第２の判断応答パケットをそのまま前記第１の無線装置（Ｍ１）へ送信し、
前記第１の無線装置（Ｍ１）は、前記第１の判断応答パケットを受信すると、前記トラフィックの送信を開始する、請求の範囲第４項に記載のマルチホップ無線ネットワークシステム。
【請求項６】
前記無線制御局（１７７）は、前記第３の無線装置（Ｍ２，Ｍ５）に設けられ、
前記第１および第３の無線装置（Ｍ１，Ｍ２，Ｍ５）は、前記測定した無線通信経路の特性を前記第２の無線装置（Ｍ８）へ送信し、
前記第３の無線装置（Ｍ２，Ｍ５）は、前記測定された無線通信経路の特性に基づいて、前記品質保持要求（ＱｏＳ）を許可または拒否し、前記品質保持要求（ＱｏＳ）の許可または前記品質保持要求（ＱｏＳ）の拒否を前記第２の無線装置（Ｍ８）へ送信し、
前記第２の無線装置（Ｍ８）は、前記第３の無線装置（Ｍ２，Ｍ５）から前記品質保持要求（ＱｏＳ）の拒否を受信すると、前記品質保持要求（ＱｏＳ）の拒否を前記第１の無線装置（Ｍ１）へ送信し、前記第３の無線装置（Ｍ２，Ｍ５）から前記品質保持要求（ＱｏＳ）の許可を受信すると、前記受信した無線通信経路の特性に基づいて、前記品質保持要求（ＱｏＳ）を許可または拒否し、前記品質保持要求（ＱｏＳ）の許可または前記品質保持要求（ＱｏＳ）の拒否を前記第３の無線装置（Ｍ２，Ｍ５）を介して前記第１の無線装置（Ｍ１）へ送信する、請求の範囲第１項に記載のマルチホップ無線ネットワークシステム。
【請求項７】
前記第１の無線装置（Ｍ１）は、自己における前記無線通信経路の特性である第１の特性を測定し、その測定した第１の特性を含み、かつ、前記無線通信経路の特性の測定を要求する特性測定用パケット（ＲＭＰ）を前記第３の無線装置（Ｍ２，Ｍ５）へ送信し、
前記第３の無線装置（Ｍ２，Ｍ５）は、前記特性測定用パケット（ＲＭＰ）を受信すると、自己における前記無線通信経路の特性である第２の特性を測定し、前記特性測定用パケット（ＲＭＰ）に含まれる第１の特性を前記測定した第２の特性を用いて第３の特性に更新し、その更新した第３の特性を含む特性測定用パケット（ＲＭＰ）を前記第２の無線装置（Ｍ８）へ送信し、
前記第２の無線装置（Ｍ８）は、前記特性測定用パケット（ＲＭＰ）および前記品質保持要求（ＱｏＳ）の許可を受信すると、前記特性測定用パケット（ＲＭＰ）に含まれる前記第３の特性に基づいて、前記品質保持要求（ＱｏＳ）を許可または拒否する、請求の範囲第６項に記載のマルチホップ無線ネットワークシステム。
【請求項８】
前記第１の無線装置（Ｍ１）は、前記トラフィックの要求品質を含み、かつ、前記品質保持要求（ＱｏＳ）の許可または拒否の判断を要求する判断要求パケットを前記第３の無線装置（Ｍ２，Ｍ５）および前記第２の無線装置（Ｍ８）へ順次送信し、
前記第３の無線装置（Ｍ２，Ｍ５）は、前記判断要求パケットを受信すると、前記第３の特性に基づいて前記品質保持要求（ＱｏＳ）の許可または拒否し、前記品質保持要求（ＱｏＳ）を許可する第１のフラグまたは前記品質保持要求（ＱｏＳ）を拒否する第２のフラグを前記判断要求パケットに含めて前記第２の無線装置（Ｍ８）へ送信し、
前記第２の無線装置（Ｍ８）は、前記第１のフラグを含む前記判断要求パケットを受信すると、前記第３の特性に基づいて前記品質保持要求（ＱｏＳ）を許可または拒否し、前記品質保持要求（ＱｏＳ）の許可および前記トラフィックの要求品質を含む第１の判断応答パケットまたは前記品質保持要求（ＱｏＳ）の拒否を含む第２の判断応答パケットを前記第３の無線装置（Ｍ２，Ｍ５）を介して前記第１の無線装置（Ｍ１）へ送信し、前記第２のフラグを含む前記判断要求パケットを受信すると、前記第２の判断応答パケットを前記第３の無線装置（Ｍ２，Ｍ５）を介して前記第１の無線装置（Ｍ１）へ送信する、請求の範囲第７項に記載のマルチホップ無線ネットワークシステム。
【請求項９】
前記第３の無線装置（Ｍ２，Ｍ５）は、前記第１の判断応答パケットを前記第２の無線装置（Ｍ８）から受信すると、前記第１の判断応答パケットに含まれるトラフィックの要求品質を満たす通信帯域を確保して前記第１の判断応答パケットを前記第１の無線装置（Ｍ１）へ送信し、前記第２の判断応答パケットを前記第２の無線装置（Ｍ８）から受信すると、前記第２の判断応答パケットをそのまま前記第１の無線装置（Ｍ１）へ送信し、
前記第１の無線装置（Ｍ１）は、前記第１の判断応答パケットを受信すると、前記トラフィックの送信を開始する、請求の範囲第８項に記載のマルチホップ無線ネットワークシステム。
【請求項１０】
前記無線制御局（１７７）は、前記第１の無線装置（Ｍ１）に設けられ、
前記第１および第３の無線装置（Ｍ１，Ｍ２，Ｍ５）は、前記測定した無線通信経路の特性を前記第２の無線装置（Ｍ８）へ送信し、
前記第２の無線装置（Ｍ８）は、前記測定された無線通信経路の特性を前記第１の無線装置（Ｍ１）へ送信し、
前記第１の無線装置（Ｍ１）は、前記測定された無線通信経路の特性に基づいて、前記品質保持要求（ＱｏＳ）を許可または拒否するとともに、前記品質保持要求（ＱｏＳ）を許可したとき、前記トラフィックの送信を開始する、請求の範囲第１項に記載のマルチホップ無線ネットワークシステム。
【請求項１１】
前記第１の無線装置（Ｍ１）は、自己における前記無線通信経路の特性である第１の特性を測定し、その測定した第１の特性を含み、かつ、前記無線通信経路の特性の測定を要求する特性測定用パケット（ＲＭＰ）を前記第３の無線装置（Ｍ２，Ｍ５）へ送信するとともに、前記第３の無線装置（Ｍ２，Ｍ５）における前記無線通信経路の特性である第２の特性を用いて前記第１の特性を更新した第３の特性を含む前記特性測定用パケット（ＲＭＰ）を前記第３の無線装置（Ｍ２，Ｍ５）を介して前記第２の無線装置（Ｍ８）から受信すると、前記特性測定用パケット（ＲＭＰ）に含まれる前記第３の特性に基づいて、前記品質保持要求（ＱｏＳ）を許可または拒否し、
前記第３の無線装置（Ｍ２，Ｍ５）は、前記特性測定用パケット（ＲＭＰ）を受信すると、自己における前記無線通信経路の特性である第２の特性を測定し、前記特性測定用パケット（ＲＭＰ）に含まれる第１の特性を前記測定した第２の特性を用いて第３の特性に更新し、その更新した第３の特性を含む特性測定用パケット（ＲＭＰ）を前記第２の無線装置（Ｍ８）へ送信し、
前記第２の無線装置（Ｍ８）は、前記特性測定用パケット（ＲＭＰ）を受信すると、その受信した特性測定用パケット（ＲＭＰ）を前記第３の無線装置（Ｍ２，Ｍ５）を介して前記第１の無線装置（Ｍ１）へ送信する、請求の範囲第１０項に記載のマルチホップ無線ネットワークシステム。
【請求項１２】
前記無線制御局（１７７）は、前記第１から第３の無線装置（Ｍ１，Ｍ２，Ｍ５，Ｍ８）と異なる第４の無線装置（Ｍ３）に設けられ、
前記第１および第３の無線装置（Ｍ１，Ｍ２，Ｍ５）は、前記測定した無線通信経路の特性を前記第２の無線装置（Ｍ８）へ送信し、
前記第２の無線装置（Ｍ８）は、前記測定された無線通信経路の特性を前記第４の無線装置（Ｍ３）へ送信し、
前記第４の無線装置（Ｍ３）は、前記測定された無線通信経路の特性に基づいて、前記品質保持要求（ＱｏＳ）を許可または拒否する、請求の範囲第１項に記載のマルチホップ無線ネットワークシステム。
【請求項１３】
前記第１の無線装置（Ｍ１）は、自己における前記無線通信経路の特性である第１の特性を測定し、その測定した第１の特性を含み、かつ、前記無線通信経路の特性の測定を要求する特性測定用パケット（ＲＭＰ）を前記第３の無線装置（Ｍ２，Ｍ５）へ送信し、
前記第３の無線装置（Ｍ２，Ｍ５）は、前記特性測定用パケット（ＲＭＰ）を受信すると、自己における前記無線通信経路の特性である第２の特性を測定し、前記特性測定用パケット（ＲＭＰ）に含まれる第１の特性を前記測定した第２の特性を用いて第３の特性に更新し、その更新した第３の特性を含む特性測定用パケット（ＲＭＰ）を前記第２の無線装置（Ｍ８）へ送信し、
前記第２の無線装置（Ｍ８）は、前記特性測定用パケット（ＲＭＰ）を受信すると、その受信した特性測定用パケット（ＲＭＰ）を前記第４の無線装置（Ｍ３）へ送信し、
前記第４の無線装置（Ｍ３）は、前記特性測定用パケット（ＲＭＰ）を受信すると、前記特性測定用パケット（ＲＭＰ）に含まれる前記第３の特性に基づいて、前記品質保持要求（ＱｏＳ）を許可または拒否する、請求の範囲第１２項に記載のマルチホップ無線ネットワークシステム。
【請求項１４】
前記第１の無線装置（Ｍ１）は、前記トラフィックの要求品質を含み、かつ、前記品質保持要求（ＱｏＳ）の許可または拒否の判断を要求する判断要求パケットを前記第４の無線装置（Ｍ３）へ送信し、
前記第４の無線装置（Ｍ３）は、前記判断要求パケットを受信すると、前記第３の特性に基づいて前記品質保持要求（ＱｏＳ）を許可または拒否し、前記品質保持要求（ＱｏＳ）の許可および前記トラフィックの要求品質を含む第１の判断応答パケットまたは前記品質保持要求（ＱｏＳ）の拒否を含む第２の判断応答パケットを前記第１の無線装置（Ｍ１）へ送信する、請求の範囲第１３項に記載のマルチホップ無線ネットワークシステム。
【請求項１５】
前記第１の無線装置（Ｍ１）は、前記第１の判断応答パケットを前記第４の無線装置（Ｍ３）から受信すると、前記トラフィックの送信を開始する、請求の範囲第１４項に記載のマルチホップ無線ネットワークシステム。
【発明の詳細な説明】
【技術分野】
【０００１】
この発明は、マルチホップ無線ネットワークシステムに関し、特に、送信元からのサービス品質の要求（ＱｏＳ（Ｑｕａｌｉｔｙ  ｏｆ  Ｓｅｒｖｉｃｅ）要求）の受付判断を行なうマルチホップ無線ネットワークシステムに関するものである。
【背景技術】
【０００２】
音声、映像などのマルチメディア・トラフィックは、遅延、遅延の揺らぎ、およびパケット到達率などのファクターに対して厳しい品質を要求する。従って、このようなトラフィックに対して、他のトラフィック（文字、イメージダウンロードなど）に対して優先的に転送サービスを与えるよう、アドミッション・コントロール（資源の動的割当て）、クラシファイア（トラフィックのクラス分け）、シェーピング・ポリシング（バーストを一定レートにならす）およびパケット・スケジューリング（各グループに応じたパケット送出）などの各技術が必要とされる。【０００３】
マルチメディア・トラフィックのＱｏＳ（Ｑｕａｌｉｔｙ  ｏｆ  Ｓｅｒｖｉｃｅ）制御を目的に、ＩＥＥＥ８０２．１１ｅプロトコルがシングル・セル無線ＬＡＮ（Ｌｏｃａｌ  Ａｒｅａ  Ｎｅｔｗｏｒｋ）環境を対象に検討されている。【０００４】
ＩＥＥＥ８０２．１１ｅは、インフラストラクチャ・モードで起動するＩＥＥＥ８０２．１１無線ネットワークを対象にアドミッション・コントロール、クラシファイア、およびパケット・スケジューリングの各機能を提供する。【０００５】
インフラストラクチャ・モードにおけるネットワークは、アクセスポイント（ＡＰ：Ａｃｃｅｓｓ  Ｐｏｉｎｔ）と、無線ＬＡＮ端末（ＳＴＡ：Ｓｔａｔｉｏｎ）からなり、無線ＬＡＮ端末は、アクセスポイントＡＰの電波到達範囲内に配置される。【０００６】
そして、ＩＥＥＥ８０２．１１ｅプロトコルは、トラフィックのＱｏＳ要求の厳しさによってクラス（ＩＥＥＥ８０２．１１ｅにおいて、トラフィックの４つのアクセス・カテゴリに分類されるＡＣ１（音声トラフィック用のＡＣ）、ＡＣ２（動画トラフィック用のＡＣ）、ＡＣ３（ベスト・エフォートトラフィック用のＡＣ）、およびＡＣ４（バックグランドのトラフィックのトラフィック用のＡＣ））に分類し（クラシファイア）、そして、ＥＤＣＡ（Ｅｎｈａｎｃｅｄ  Ｄｉｓｔｒｉｂｕｔｅｄ  Ｃｈａｎｎｅｌ  Ａｃｃｅｓｓ）方式によって優先順位が高いアクセス・カテゴリのトラフィックが優先的にチャネルアクセスできるようにする。【０００７】
また、アドミッション制御において、ＱｏＳ要求が厳しい音声および映像などのトラフィックの通信は、ネットワークがサポートできる数だけ許可し、許可されたマルチメディア通信の品質保証を行なうものである。言い換えると、ＡＣ１およびＡＣ２アクセス・カテゴリで通信を望む音声および動画トラフィックは、ネットワークのキャパシティを越えない分だけ通信を許可することによって、許可されたトラフィックの品質を確保しようとするものである。具体的には、ネットワークがアドミッション制御モードで動作する場合、音声および動画の通信を望むＳＴＡは、ＡＰに対して、アドミッション要求を行なう。アドミッション要求を受けたＡＰは、ネットワークのキャパシティが該当のトラフィックの品質要求を満たせると判断した場合、アドミッションを許可し、そうでない場合、アドミッションを拒否する。アドミッションが許可された音声トラフィック（または映像トラフィック）の通信は、ＡＣ１（またはＡＣ２）アクセス・カテゴリで行なわれる。【０００８】
一方、アドミッションが拒否された音声トラフィック（または映像トラフィック）の通信は、停止または優先順位が低いベスト・エフォートのアクセス・カテゴリＡＣ３で行なわれる。このように、ＩＥＥＥ８０２．１１ｅプロトコルは、無線通信のＱｏＳ制御のための各技術を提供している。
【非特許文献１】ＩＥＥＥ  Ｐ８０２．１１ｅ／Ｄ１３．０，Ｊａｎｕａｒｙ  ２００５，（Ｄｒａｆｔ  Ａｍｅｎｄｍｅｎｔ  ｔｏ  ＡＮＳＩ／ＩＥＥＥ  Ｓｔｄ  ８０２．１１，１９９９  Ｅｄｉｔｉｏｎ  （Ｒｅａｆｆ  ２００３）），  Ｍｅｄｉｕｍ  Ａｃｃｅｓｓ  Ｃｏｎｔｒｏｌ  （ＭＡＣ）  Ｑｕａｌｉｔｙ  ｏｆ  Ｓｅｒｖｉｃｅ  （ＱｏＳ）  Ｅｎｈａｎｃｅｍｅｎｔｓ．
【発明の開示】
【０００９】
従来のシングルセルネットワークにおいては、全てのトラフィックがアクセスポイントで送信または受信されるため、アクセスポイントがアドミッションコントロールを行なうことができ、制御が単純である。
【００１０】
しかし、マルチホップ無線ネットワークシステムにおいては、トラフィックは、送信元から中継端末を経由して送信先へ送信され、トラフィックの品質は、送受信端末の状態のみならず、中継端末の状態および中継端末と同一通信範囲内における他の端末とのチャネルアクセス状態等に影響されるため、一般的に、アドミッションコントロールが困難であるという問題がある。
【００１１】
そこで、この発明は、かかる問題を解決するためになされたものであり、その目的は、アドミッションコントロールが可能なマルチホップ無線ネットワークシステムを提供することである。
【００１２】
この発明によれば、マルチホップ無線通信ネットワークシステムは、第１から第３の無線装置と、無線制御局とを備える。第１の無線装置は、送信元である。第２の無線装置は、送信先である。第３の無線装置は、第１および第２の無線装置間で無線通信を中継する。無線制御局は、第３の無線装置を介して第１の無線装置から第２の無線装置へ至る無線通信経路の特性に基づいて、第１の無線装置から第２の無線装置へ送信されるパケットの流れであるトラフィックの品質を所定の品質に保持してトラフィックを送信することを要求する品質保持要求を許可または拒否する。そして、第１および第３の無線装置は、無線通信経路の特性を測定する。無線制御局は、測定された無線通信経路の特性を受信し、その受信した無線通信経路の特性に基づいて、品質保持要求を許可または拒否する。第１の無線装置は、無線制御局が品質保持要求を許可すると、第３の無線装置を介して第２の無線装置へトラフィックの送信を開始する。
【００１３】
好ましくは、無線制御局は、第２の無線装置に設けられる。第１および第３の無線装置は、測定した無線通信経路の特性を第２の無線装置へ送信する。第２の無線装置は、測定された無線通信経路の特性に基づいて、品質保持要求を許可または拒否する。
【００１４】
好ましくは、第１の無線装置は、自己における無線通信経路の特性である第１の特性を測定し、その測定した第１の特性を含み、かつ、無線通信経路の特性の測定を要求する特性測定用パケットを第３の無線装置へ送信する。第３の無線装置は、特性測定用パケットを受信すると、自己における無線通信経路の特性である第２の特性を測定し、特性測定用パケットに含まれる第１の特性を測定した第２の特性を用いて第３の特性に更新し、その更新した第３の特性を含む特性測定用パケットを第２の無線装置へ送信する。第２の無線装置は、特性測定用パケットを受信すると、特性測定用パケットに含まれる第３の特性に基づいて、品質保持要求を許可または拒否する。
【００１５】
好ましくは、第１の無線装置は、トラフィックの要求品質を含み、かつ、品質保持要求の許可または拒否の判断を要求する判断要求パケットを第３の無線装置を介して第２の無線装置へ送信する。第２の無線装置は、判断要求パケットを受信すると、第３の特性に基づいて品質保持要求を許可または拒否し、品質保持要求の許可およびトラフィックの要求品質を含む第１の判断応答パケットまたは品質保持要求の拒否を含む第２の判断応答パケットを第３の無線装置を介して第１の無線装置へ送信する。
【００１６】
好ましくは、第３の無線装置は、第１の判断応答パケットを第２の無線装置から受信すると、第１の判断応答パケットに含まれるトラフィックの要求品質を満たす通信帯域を確保して第１の判断応答パケットを第１の無線装置へ送信し、第２の判断応答パケットを第２の無線装置から受信すると、第２の判断応答パケットをそのまま第１の無線装置へ送信する。第１の無線装置は、第１の判断応答パケットを受信すると、トラフィックの送信を開始する。
【００１７】
好ましくは、無線制御局は、第３の無線装置に設けられる。第１および第３の無線装置は、測定した無線通信経路の特性を第２の無線装置へ送信する。第３の無線装置は、測定された無線通信経路の特性に基づいて、品質保持要求を許可または拒否し、品質保持要求の許可または品質保持要求の拒否を第２の無線装置へ送信する。第２の無線装置は、第３の無線装置から品質保持要求の拒否を受信すると、品質保持要求の拒否を第１の無線装置へ送信し、第３の無線装置から品質保持要求の許可を受信すると、受信した無線通信経路の特性に基づいて、品質保持要求を許可または拒否し、品質保持要求の許可または品質保持要求の拒否を第３の無線装置を介して第１の無線装置へ送信する。
【００１８】
好ましくは、第１の無線装置は、自己における無線通信経路の特性である第１の特性を測定し、その測定した第１の特性を含み、かつ、無線通信経路の特性の測定を要求する特性測定用パケットを第３の無線装置へ送信する。第３の無線装置は、特性測定用パケットを受信すると、自己における無線通信経路の特性である第２の特性を測定し、特性測定用パケットに含まれる第１の特性を測定した第２の特性を用いて第３の特性に更新し、その更新した第３の特性を含む特性測定用パケットを第２の無線装置へ送信する。第２の無線装置は、特性測定用パケットおよび品質保持要求の許可を受信すると、特性測定用パケットに含まれる第３の特性に基づいて、品質保持要求を許可または拒否する。
【００１９】
好ましくは、第１の無線装置は、トラフィックの要求品質を含み、かつ、品質保持要求の許可または拒否の判断を要求する判断要求パケットを第３の無線装置および第２の無線装置へ順次送信する。第３の無線装置は、判断要求パケットを受信すると、第３の特性に基づいて品質保持要求の許可または拒否し、品質保持要求を許可する第１のフラグまたは品質保持要求を拒否する第２のフラグを判断要求パケットに含めて第２の無線装置へ送信する。第２の無線装置は、第１のフラグを含む判断要求パケットを受信すると、第３の特性に基づいて品質保持要求を許可または拒否し、品質保持要求の許可およびトラフィックの要求品質を含む第１の判断応答パケットまたは品質保持要求の拒否を含む第２の判断応答パケットを第３の無線装置を介して第１の無線装置へ送信し、第２のフラグを含む判断要求パケットを受信すると、第２の判断応答パケットを第３の無線装置を介して第１の無線装置へ送信する。
【００２０】
好ましくは、第３の無線装置は、第１の判断応答パケットを第２の無線装置から受信すると、第１の判断応答パケットに含まれるトラフィックの要求品質を満たす通信帯域を確保して第１の判断応答パケットを第１の無線装置へ送信し、第２の判断応答パケットを第２の無線装置から受信すると、第２の判断応答パケットをそのまま第１の無線装置へ送信する。第１の無線装置は、第１の判断応答パケットを受信すると、トラフィックの送信を開始する。
【００２１】
好ましくは、無線制御局は、第１の無線装置に設けられる。第１および第３の無線装置は、測定した無線通信経路の特性を第２の無線装置へ送信する。第２の無線装置は、測定された無線通信経路の特性を第１の無線装置へ送信する。第１の無線装置は、測定された無線通信経路の特性に基づいて、品質保持要求を許可または拒否するとともに、品質保持要求を許可したとき、トラフィックの送信を開始する。
【００２２】
好ましくは、第１の無線装置は、自己における無線通信経路の特性である第１の特性を測定し、その測定した第１の特性を含み、かつ、無線通信経路の特性の測定を要求する特性測定用パケットを第３の無線装置へ送信するとともに、第３の無線装置における無線通信経路の特性である第２の特性を用いて第１の特性を更新した第３の特性を含む特性測定用パケットを第３の無線装置を介して第２の無線装置から受信すると、特性測定用パケットに含まれる第３の特性に基づいて、品質保持要求を許可または拒否する。第３の無線装置は、特性測定用パケットを受信すると、自己における無線通信経路の特性である第２の特性を測定し、特性測定用パケットに含まれる第１の特性を測定した第２の特性を用いて第３の特性に更新し、その更新した第３の特性を含む特性測定用パケットを第２の無線装置へ送信する。第２の無線装置は、特性測定用パケットを受信すると、その受信した特性測定用パケットを第３の無線装置を介して第１の無線装置へ送信する。
【００２３】
好ましくは、無線制御局は、第１から第３の無線装置と異なる第４の無線装置に設けられる。第１および第３の無線装置は、測定した無線通信経路の特性を第２の無線装置へ送信する。第２の無線装置は、測定された無線通信経路の特性を第４の無線装置へ送信する。第４の無線装置は、測定された無線通信経路の特性に基づいて、品質保持要求を許可または拒否する。
【００２４】
好ましくは、第１の無線装置は、自己における無線通信経路の特性である第１の特性を測定し、その測定した第１の特性を含み、かつ、無線通信経路の特性の測定を要求する特性測定用パケットを第３の無線装置へ送信する。第３の無線装置は、特性測定用パケットを受信すると、自己における無線通信経路の特性である第２の特性を測定し、特性測定用パケットに含まれる第１の特性を測定した第２の特性を用いて第３の特性に更新し、その更新した第３の特性を含む特性測定用パケットを第２の無線装置へ送信する。第２の無線装置は、特性測定用パケットを受信すると、その受信した特性測定用パケットを第４の無線装置へ送信する。第４の無線装置は、特性測定用パケットを受信すると、特性測定用パケットに含まれる第３の特性に基づいて、品質保持要求を許可または拒否する。
【００２５】
好ましくは、第１の無線装置は、トラフィックの要求品質を含み、かつ、品質保持要求の許可または拒否の判断を要求する判断要求パケットを第４の無線装置へ送信する。第４の無線装置は、判断要求パケットを受信すると、第３の特性に基づいて品質保持要求を許可または拒否し、品質保持要求の許可およびトラフィックの要求品質を含む第１の判断応答パケットまたは品質保持要求の拒否を含む第２の判断応答パケットを第１の無線装置へ送信する。
【００２６】
好ましくは、第１の無線装置は、第１の判断応答パケットを第４の無線装置から受信すると、トラフィックの送信を開始する。
【００２７】
この発明によるマルチホップ無線ネットワークシステムにおいては、第１の無線装置（送信元）および第３の無線装置（中継器）は、第１の無線装置−第３の無線装置−第２の無線装置（送信先）からなる無線通信経路の特性を測定し、無線制御局は、測定された無線通信経路の特性に基づいて、トラフィックの品質を所定の品質に保持してトラフィックを送信することを要求する品質保持要求を許可または拒否する。そして、送信元である第１の無線装置は、無線制御局が品質保持要求を許可すると、トラフィックの送信を開始する。即ち、この発明によるマルチホップ無線ネットワークシステムにおいては、第１および第３の無線装置は、トラフィックの品質に大きく影響を与える無線通信経路（＝送信元−中継器−送信先からなる経路）の特性を測定し、無線制御局は、その測定された無線通信経路の特性に基づいて、品質保持要求を許可または拒否する。
【００２８】
従って、この発明によれば、マルチホップ無線ネットワークシステムにおいて、品質保持要求を許可または拒否するアドミッションコントロールを行なうことができる。
【図面の簡単な説明】
【００２９】
【図１】この発明の実施の形態によるマルチホップ無線ネットワークシステムの概略図である。
【図２】図１に示す無線装置の構成を示す概略ブロック図である。
【図３】図２に示すＭＡＣモジュールの機能ブロック図である。
【図４】特性測定用パケットの構成図である。
【図５】アドミッション要求パケットの構成図である。
【図６】アドミッション応答パケットの構成図である。
【図７】中継端末における輻輳状態を測定する動作を説明するためのフローチャートである。
【図８】中継端末における遅延時間を測定する動作を説明するためのフローチャートである。
【図９】中継端末におけるパケット伝達率を測定する動作を説明するためのフローチャートである。
【図１０】無線通信経路の特性の測定における具体例を示す図である。
【図１１】送信先端末がアドミッションコントロールを行なう動作を説明するためのフローチャートである。
【図１２】中継端末がアドミッションコントロールを行なう動作を説明するためのフローチャートである。
【図１３】送信端末がアドミッションコントロールを行なう動作を説明するためのフローチャートである。
【図１４】集中制御端末がアドミッションコントロールを行なう動作を説明するためのフローチャートである。
【図１５】アドミッションコントロールの第１の具体例を説明するためのフローチャートである。
【図１６】アドミッションコントロールの第２の具体例を説明するためのフローチャートである。
【図１７】アドミッションコントロールの第３の具体例を説明するためのフローチャートである。
【図１８】異なるトラフィックのアドミッション要求が同時に許可される場合の問題点を説明するための図である。
【図１９】図１８に示す輻輳を回避する方法を説明するための図である。
【発明を実施するための最良の形態】
【００３０】
本発明の実施の形態について図面を参照しながら詳細に説明する。なお、図中同一または相当部分には同一符号を付してその説明は繰返さない。【００３１】
図１は、この発明の実施の形態によるマルチホップ無線ネットワークシステム１０の概略図である。マルチホップ無線ネットワークシステム１０は、無線装置Ｍ１〜Ｍ９を備える。無線装置Ｍ１〜Ｍ９は、無線通信空間に配置される。そして、無線装置Ｍ１〜Ｍ９の各々は、他の無線装置を介して送信先の無線装置との間で無線通信を行なう。例えば、無線装置Ｍ１は、無線装置Ｍ２，Ｍ５を介して無線装置Ｍ８と無線通信を行ない、無線装置Ｍ４は、無線装置Ｍ７，Ｍ８を介して無線装置Ｍ９と無線通信を行なう。【００３２】
図２は、図１に示す無線装置Ｍ１の構成を示す概略ブロック図である。無線装置Ｍ１は、アンテナ１１と、入力部１２と、出力部１３と、ユーザアプリケーション１４と、通信制御部１５とを含む。【００３３】
アンテナ１１は、無線通信空間を介して他の無線装置からデータを受信し、その受信したデータを通信制御部１５へ出力するとともに、通信制御部１５からのデータを無線通信空間を介して他の無線装置へ送信する。【００３４】
入力部１２は、無線装置１の操作者が入力したメッセージおよびデータの宛先を受付け、その受付けたメッセージおよび宛先をユーザアプリケーション１４へ出力する。出力部１３は、ユーザアプリケーション１４からの制御に従ってメッセージを表示する。【００３５】
ユーザアプリケーション１４は、入力部１２からのメッセージおよび宛先に基づいてデータを生成して通信制御部１５へ出力する。【００３６】
通信制御部１５は、ＡＲＰＡ（Ａｄｖａｎｃｅｄ  Ｒｅｓｅａｒｃｈ  Ｐｒｏｊｅｃｔｓ  Ａｇｅｎｃｙ）インターネット階層構造に従って、通信制御を行なう複数のモジュールからなる。即ち、通信制御部１５は、無線インターフェースモジュール１６と、ＭＡＣ（Ｍｅｄｉａ  Ａｃｃｅｓｓ  Ｃｏｎｔｒｏｌ）モジュール１７と、上位層１８とからなる。【００３７】
無線インターフェースモジュール１６は、物理層に属し、所定の規定に従って送信信号または受信信号の変復調を行なうとともに、アンテナ１１を介して信号を送受信する。【００３８】
ＭＡＣモジュール１７は、ＭＡＣ層に属し、上位層１８からＩＰパケットを受け、その受けたＩＰパケットにＭＡＣヘッダを付加してパケットＰＫＴを作成する。【００３９】
ＭＡＣモジュール１７は、作成したパケットＰＫＴを送信先へ送信する場合、パケットＰＫＴをＥＤＣＡ方式によって、複数のアクセスカテゴリ（ＡＣ：Ａｃｃｅｓｓ  Ｃａｔｅｇｏｒｙ）に分類し、優先度が高いアクセスカテゴリＡＣに属するパケットＰＫＴを優先的に送信先へ送信する。  【００４０】
そして、ＭＡＣモジュール１７は、各アクセスカテゴリＡＣに属するパケットＰＫＴを送信先へ送信する場合、後述するアドミッションコントロールに従ってパケットＰＫＴを送信先へ送信する。【００４１】
上位層１８は、インターネット層、トランスポート層およびプロセス／アプリケーション層からなり、ユーザアプリケーション１４から受けたデータに基づいてＩＰパケットを生成する。ＩＰパケットは、ＩＰヘッダと、データを格納するためのＩＰデータ部とからなる。そして、上位層１８は、ユーザアプリケーション１４からデータを受けると、その受けたデータをＩＰデータ部に格納してＩＰパケットを生成する。【００４２】
上位層１８は、ＩＰパケットを生成すると、その生成したＩＰパケットを送信する経路を決定し、その決定した経路に沿ってＩＰパケットを送信先の無線装置へ送信するように、ＩＰパケットをＭＡＣモジュール１７へ送信する。【００４３】
この場合、上位層１８は、テーブル駆動型のプロトコルおよびオンデマンド型のプロトコルのいずれかのプロトコルを用いて送信先の無線装置までの経路を決定する。【００４４】
なお、図１に示す無線装置Ｍ２〜Ｍ９の各々も、図２に示す無線装置Ｍ１の構成と同じ構成からなる。【００４５】
図３は、図２に示すＭＡＣモジュール１７の機能ブロック図である。ＭＡＣモジュール１７は、分類部１７１と、キュー１７２Ａ，１７２Ｂ，１７２Ｃ，１７２Ｄと、ＥＤＣＡコントロール部１７３Ａ，１７３Ｂ，１７３Ｃ，１７３Ｄと、スケジューラー１７４と、送信部１７５と、測定部１７６と、制御部１７７と、受信部１７８と、識別部１７９とを含む。【００４６】
分類部１７１は、上位層１８からＩＰパケットを受け、その受けたＩＰパケットにＭＡＣヘッダを付加してパケットＰＫＴを作成する。そして、分類部１７１は、その作成したパケットＰＫＴを４つのアクセスカテゴリＡＣ１〜ＡＣ４に分類する。【００４７】
例えば、分類部１７１は、パケットＰＫＴが音声データからなるとき、パケットＰＫＴをキュー１７２Ａに格納し、パケットＰＫＴが映像データからなるとき、パケットＰＫＴをキュー１７２Ｂに格納し、パケットＰＫＴがベストエフォートで送信すればよいパケットであるとき、パケットＰＫＴをキュー１７２Ｃへ格納し、パケットＰＫＴがバックグランドのパケットであるとき、パケットＰＫＴをキュー１７２Ｄに格納する。【００４８】
キュー１７２Ａ，１７２Ｂ，１７２Ｃ，１７２Ｄは、それぞれ、アクセスカテゴリＡＣ１〜ＡＣ４に対応して設けられる。そして、キュー１７２Ａ，１７２Ｂ，１７２Ｃ，１７２Ｄは、分類部１７１によって分類されたパケットＰＫＴを格納し、その格納したパケットＰＫＴを格納した順にそれぞれＥＤＣＡコントロール部１７３Ａ，１７３Ｂ，１７３Ｃ，１７３Ｄへ出力する。【００４９】
ＥＤＣＡコントロール部１７３Ａ，１７３Ｂ，１７３Ｃ，１７３Ｄは、それぞれ、キュー１７２Ａ，１７２Ｂ，１７２Ｃ，１７２Ｄに対応して設けられる。ＥＤＣＡコントロール部１７３Ａは、フレーム送信間隔ＡＩＦＳ（Ａｒｂｉｔｒａｔｉｏｎ  Ｉｎｔｅｒ  Ｆｒａｍｅ  Ｓｐａｃｅ）［ＡＣ１］と、バックオフのためのバックオフタイムＢａｃｋｏｆｆ［ＡＣ１］とを有する。そして、ＥＤＣＡコントロール部１７３Ａは、キュー１７２Ａに格納されたパケットＰＫＴを読み出し、その読み出したパケットＰＫＴをフレーム送信間隔ＡＩＦＳ［ＡＣ１］の経過後、バックオフタイムＢａｃｋｏｆｆ［ＡＣ１］が“０”へ減少するまで保持し、その後、スケジューラー１７４へ出力する。【００５０】
ＥＤＣＡコントロール部１７３Ｂは、フレーム送信間隔ＡＩＦＳ［ＡＣ２］と、バックオフのためのバックオフタイムＢａｃｋｏｆｆ［ＡＣ２］とを有する。そして、ＥＤＣＡコントロール部１７３Ｂは、キュー１７２Ｂに格納されたパケットＰＫＴを読み出し、その読み出したパケットＰＫＴをフレーム送信間隔ＡＩＦＳ［ＡＣ２］の経過後、バックオフタイムＢａｃｋｏｆｆ［ＡＣ２］が“０”へ減少するまで保持し、その後、スケジューラー１７４へ出力する。【００５１】
ＥＤＣＡコントロール部１７３Ｃは、フレーム送信間隔ＡＩＦＳ［ＡＣ３］と、バックオフのためのバックオフタイムＢａｃｋｏｆｆ［ＡＣ３］とを有する。そして、ＥＤＣＡコントロール部１７３Ｃは、キュー１７２Ｃに格納されたパケットＰＫＴを読み出し、その読み出したパケットＰＫＴをフレーム送信間隔ＡＩＦＳ［ＡＣ３］の経過後、バックオフタイムＢａｃｋｏｆｆ［ＡＣ３］が“０”へ減少するまで保持し、その後、スケジューラー１７４へ出力する。【００５２】
ＥＤＣＡコントロール部１７３Ｄは、フレーム送信間隔ＡＩＦＳ［ＡＣ４］と、バックオフのためのバックオフタイムＢａｃｋｏｆｆ［ＡＣ４］とを有する。そして、ＥＤＣＡコントロール部１７３Ｄは、キュー１７２Ｄに格納されたパケットＰＫＴを読み出し、その読み出したパケットＰＫＴをフレーム送信間隔ＡＩＦＳ［ＡＣ４］の経過後、バックオフタイムＢａｃｋｏｆｆ［ＡＣ４］が“０”へ減少するまで保持し、その後、スケジューラー１７４へ出力する。【００５３】
そして、フレーム送信間隔ＡＩＦＳ１，ＡＩＦＳ２，ＡＩＦＳ３，ＡＩＦＳ４の間には、ＡＩＦＳ１＜ＡＩＦＳ２＜ＡＩＦＳ３＜ＡＩＦＳ４の大小関係がある。バックオフタイムＢａｃｋｏｆｆ［ＡＣｉ］（ｉ＝１〜４）は、Ｂａｃｋｏｆｆ［ＡＣｉ］＝Ｒａｎｄｏｍ［ＡＣｉ］×ａＳｌｏｔＴｉｍｅによって決定される。ここで、ａＳｌｏｔＴｉｍｅは、物理層の媒体特性によって決まる一定長のスロット時間である。また、Ｒａｎｄｏｍ［ＡＣｉ］は、［０，ＣＷ［ＡＣｉ］］から取った一様乱数であり、ＣＷ［ＡＣｉ］は、ａＣＷｍｉｎ［ＡＣｉ］≦ＣＷ［ＡＣｉ］≦ａＣＷｍａｘ［ＡＣｉ］である。【００５４】
そして、ａＣＷｍｉｎ［ＡＣ１］，ａＣＷｍｉｎ［ＡＣ２］，ａＣＷｍｉｎ［ＡＣ３］，ａＣＷｍｉｎ［ＡＣ４］の間には、ａＣＷｍｉｎ［ＡＣ１］＜ａＣＷｍｉｎ［ＡＣ２］＜ａＣＷｍｉｎ［ＡＣ３］＜ａＣＷｍｉｎ［ＡＣ４］の大小関係があり、ａＣＷｍａｘ［ＡＣ１］，ａＣＷｍａｘ［ＡＣ２］，ａＣＷｍａｘ［ＡＣ３］，ａＣＷｍａｘ［ＡＣ４］の間には、ａＣＷｍａｘ［ＡＣ１］＜ａＣＷｍａｘ［ＡＣ２］＜ａＣＷｍａｘ［ＡＣ３］＜ａＣＷｍａｘ［ＡＣ４］の大小関係がある。【００５５】
従って、ＥＤＣＡコントロール部１７３Ａは、最も短い間隔でキュー１７２ＡからパケットＰＫＴを読み出してスケジューラー１７４へ出力する確率が高く、ＥＤＣＡコントロール部１７３Ｂは、ＥＤＣＡコントロール部１７３Ａの次に短い間隔でキュー１７２ＢからパケットＰＫＴを読み出してスケジューラー１７４へ出力する確率が高く、ＥＤＣＡコントロール部１７３Ｃは、ＥＤＣＡコントロール部１７３Ｂの次に短い間隔でキュー１７２ＣからパケットＰＫＴを読み出してスケジューラー１７４へ出力する確率が高く、ＥＤＣＡコントロール部１７３Ｄは、最も長い間隔でキュー１７２ＤからパケットＰＫＴを読み出してスケジューラー１７４へ出力する確率が高い。【００５６】
その結果、分類部１７１は、優先度が最も高いアクセスカテゴリＡＣ１のパケットをキュー１７２Ａへ格納し、優先度が２番目に高いアクセスカテゴリＡＣ２のパケットをキュー１７２Ｂへ格納し、優先度が３番目に高いアクセスカテゴリＡＣ３のパケットをキュー１７２Ｃへ格納し、優先度が最も低いアクセスカテゴリＡＣ４のパケットをキュー１７２Ｄへ格納する。【００５７】
スケジューラー１７４は、ＥＤＣＡコントロール部１７３Ａ〜１７３Ｄからパケットが出力されると、その出力されたパケットを送信部１７５に渡す。この場合、スケジューラー１７４は、２個以上のパケットがＥＤＣＡコントロール部１７３Ａ〜１７３Ｄから同時刻で出力されると、その中で優先度が最も高いパケットを送信部１７５へ出力する。【００５８】
送信部１７５は、スケジューラー１７４からのパケットＰＫＴまたは制御部１７７からのパケットＰＫＴを無線インターフェースモジュール１６およびアンテナ１１を介して他の無線装置へ送信する。【００５９】
測定部１７６は、制御部１７７からの要求に応じて、キュー１７２Ａまたはキュー１７２Ｂにおける輻輳状態を測定し、その測定結果を制御部１７７へ出力する。より具体的には、測定部１７６は、分類部１７１からキュー１７２Ａに格納されるパケットＰＫＴの数がキュー１７２Ａから読み出されるパケットＰＫＴの数よりも多いとき、キュー１７２Ａが輻輳状態であると判定し、キュー１７２Ａの輻輳状態を測定したことを示す“１”を制御部１７７へ出力する。また、測定部１７６は、分類部１７１からキュー１７２Ａに格納されるパケットＰＫＴの数がキュー１７２Ａから読み出されるパケットＰＫＴの数よりも少ないとき、キュー１７２Ａが輻輳状態でないと判定し、キュー１７２Ａの輻輳状態を測定しなかったことを示す“０”を制御部１７７へ出力する。測定部１７６は、キュー１７２Ｂについても、同様にして、輻輳状態を測定し、その測定結果を制御部１７７へ出力する。【００６０】
また、測定部１７６は、制御部１７７からの要求に応じて、パケットＰＫＴがキュー１７２Ａへ格納されてからパケットＰＫＴがＥＤＣＡコントロール部１７３Ａから読み出されるまでの時間を測定することにより、アクセスカテゴリＡＣ１（音声データ）の遅延時間を測定し、その測定した遅延時間を制御部１７７へ出力する。そして、測定部１７６は、アクセスカテゴリＡＣ２（映像データ）についても、同様にして、遅延時間を測定し、その測定した遅延時間を制御部１７７へ出力する。【００６１】
更に、測定部１７６は、送信先の無線装置へ送信したパケットＰＫＴの数ＮＰＫＴを送信部１７５から受け、送信したパケットＰＫＴに対して受信したＡＣＫ（Ａｃｋｎｏｗｌｅｄｇｅ）パケットの数ＮＡＣＫを識別部１７９および制御部１７７を介して受信部１７８から受ける。そして、測定部１７６は、制御部１７７からの要求に応じて、その受けたパケットＰＫＴの数ＮＰＫＴと、ＡＣＫパケットの数ＮＡＣＫとに基づいてパケット伝達率ｌｏｃａｌ＿ｄｅｌｉｖｅｒｙ＿ｒａｔｉｏ（＝ＮＡＣＫ／ＮＰＫＴ）を演算し、その演算したパケット伝達率ｌｏｃａｌ＿ｄｅｌｉｖｅｒｙ＿ｒａｔｉｏを制御部１７７へ出力する。【００６２】
制御部１７７は、ＭＡＣモジュール１７が搭載された無線装置が送信元の無線装置であるとき、測定部１７６が測定した輻輳状態、遅延時間およびパケット伝達率ｌｏｃａｌ＿ｄｅｌｉｖｅｒｙ＿ｒａｔｉｏを含めて送信元から送信先までの無線通信経路の特性を測定するための特性測定用パケットＲＭＰを生成し、その生成した特性測定用パケットＲＭＰを送信部１７５へ出力する。【００６３】
また、制御部１７７は、ＭＡＣモジュール１７が搭載された無線装置が送信元から送信先までの無線通信を中継する無線装置であるとき、他の無線装置から受信した特性測定用パケットＲＭＰを制御部１７７を介して識別部１７９から受け、その受けた特性測定用パケットＲＭＰに含まれている輻輳状態、遅延時間およびパケット伝達率ｌｏｃａｌ＿ｄｅｌｉｖｅｒｙ＿ｒａｔｉｏを後述する方法によって更新し、その更新した輻輳状態、遅延時間およびパケット伝達率ｌｏｃａｌ＿ｄｅｌｉｖｅｒｙ＿ｒａｔｉｏを含む特性測定用パケットＲＭＰを送信部１７５へ出力する。【００６４】
更に、制御部１７７は、ＭＡＣモジュール１７が搭載された無線装置がマルチメディア・トラフィック（音声データまたは映像データ）の送信元の無線装置であるとき、アドミッションコントロールを要求するアドミッション要求パケットＡＤＤＴＳｒｅｑｕｅｓｔを生成して送信部１７５へ出力する。【００６５】
更に、制御部１７７は、ＭＡＣモジュール１７が搭載された無線装置がアドミッションコントロールを判断する無線装置であるとき、送信元の無線装置からアドミッション要求パケットＡＤＤＴＳｒｅｑｕｅｓｔを受けると、特性測定用パケットＲＭＰに含まれている輻輳状態、遅延時間およびパケット伝達率ｌｏｃａｌ＿ｄｅｌｉｖｅｒｙ＿ｒａｔｉｏに基づいて、アドミッションコントロールを許可するか拒否するかを判定し、その判定結果をアドミッション応答パケットＡＤＤＴＳｒｅｐｌｙに格納して送信部１７５へ出力する。【００６６】
受信部１７８は、アンテナ１１および無線インターフェースモジュール１６を介して他の無線装置から受信したパケットＰＫＴを識別部１７９へ出力する。【００６７】
識別部１７９は、受信部１７８から受けたパケットがデータパケットである場合、そのパケットを上位層１８へ出力する。また、識別部１７９は、受信部１７８から受けたパケットがＭＡＣ制御用パケットまたは測定用パケットである場合、そのパケットを制御部１７７へ出力する。【００６８】
図４は、特性測定用パケットＲＭＰの構成図である。特性測定用パケットＲＭＰは、Ｅｌｅｍｅｎｔ  ＩＤと、Ｔｏｔａｌ  Ｌｅｎｇｔｈと、Ｍｅａｓｕｒｅｍｅｎｔ  Ｔｙｐｅ１と、Ｕｎａｂｌｅ  ｔｏ  ｍｅａｓｕｒｅ１と、Ｌｅｎｇｔｈ１と、Ｍｅａｓｕｒｅｄ  ｖａｌｕｅ１と、Ｍｅａｓｕｒｅｍｅｎｔ  Ｔｙｐｅ２と、Ｕｎａｂｌｅ  ｔｏ  ｍｅａｓｕｒｅ２と、Ｌｅｎｇｔｈ２と、Ｍｅａｓｕｒｅｄ  ｖａｌｕｅ２と、Ｍｅａｓｕｒｅｍｅｎｔ  Ｔｙｐｅ３と、Ｕｎａｂｌｅ  ｔｏ  ｍｅａｓｕｒｅ３と、Ｌｅｎｇｔｈ３と、Ｍｅａｓｕｒｅｄ  ｖａｌｕｅ３とからなる。【００６９】
Ｅｌｅｍｅｎｔ  ＩＤは、特性測定用パケットＲＭＰが無線通信経路の特性を測定するために作成されたことを表す。Ｔｏｔａｌ  Ｌｅｎｇｔｈは、特性測定用パケットＲＭＰの全体の長さを表す。Ｍｅａｓｕｒｅｍｅｎｔ  Ｔｙｐｅ１〜Ｍｅａｓｕｒｅｍｅｎｔ  Ｔｙｐｅ３の各々は、要求される測定のタイプを表す。【００７０】
Ｕｎａｂｌｅ  ｔｏ  ｍｅａｓｕｒｅ１〜Ｕｎａｂｌｅ  ｔｏ  ｍｅａｓｕｒｅ３の各々は、送信元から送信先までの無線通信経路上の無線装置が各要素の測定ができないとき、“１”に設定される。Ｌｅｎｇｔｈ１〜Ｌｅｎｇｔｈ３の各々は、“Ｌｅｎｇｔｈ”フィールドに続く測定値を格納するフィールドのビット数を表す。Ｍｅａｓｕｒｅｄ  ｖａｌｕｅ１〜Ｍｅａｓｕｒｅｄ  ｖａｌｕｅ３の各々は、各測定された測定値を含む。【００７１】
図５は、アドミッション要求パケットＡＤＤＴＳｒｅｑｕｅｓｔの構成図である。アドミッション要求パケットＡＤＤＴＳｒｅｑｕｅｓｔは、Ｃａｔｅｇｏｒｙと、Ａｃｔｉｏｎと、Ｄｉａｌｏｇ  ｔｏｋｅｎと、Ａｄｍｉｔｔｅｄと、ＴＳＰＥＣ（Ｔｒａｆｆｉｃ  Ｓｐｅｃｉｆｉｃａｔｉｏｎ）とからなる。【００７２】
Ｃａｔｅｇｏｒｙは、ＱｏＳ要求を表す“１”からなる。Ａｃｔｉｏｎは、アドミッション要求パケットＡＤＤＴＳｒｅｑｕｅｓｔを表す“０”からなる。Ｄｉａｌｏｇ  ｔｏｋｅｎは、同時に発生した動作要求が複数個存在する場合、動作応答と動作要求とのマッチングを取るために用いられる。Ａｄｍｉｔｔｅｄは、マルチホップ無線ネットワークシステムにおけるアドミッションコントロールであることを表すためのフィールドであり、１ビットからなる。ＴＳＰＥＣは、パケットＰＫＴの流れであるトラフィックの仕様を表し、トラフィックの特性およびＱｏＳ要求が明示される。【００７３】
図５に示すＴＳＰＥＣの主な要素には、Ｎｏｍｉｎａｌ  ＭＳＤＵ（Ｍａｃ  Ｓｅｒｖｉｃｅ  Ｄａｔａ  Ｕｎｉｔ）サイズ、Ｍａｘｉｍｕｍ  ＭＳＤＵサイズ、Ｍｉｎｉｍｕｍ  ＭＳＤＵサイズ、Ｍａｘｉｍｕｍ  Ｓｅｒｖｉｃｅ  Ｉｎｔｅｒｖａｌ、Ｉｎａｃｔｉｖｉｔｙ  Ｉｎｔｅｒｖａｌ、Ｓｅｒｖｉｃｅ  Ｓｔａｒｔ  ｔｉｍｅ、Ｍｉｎｉｍｕｍ  ｄａｔａ  ｒａｔｅ、Ｍｅａｎ  ｄａｔａ  ｒａｔｅ、Ｂｕｒｓｔサイズ、Ｄｅｌａｙ  ｂｏｕｎｄ、Ｍｉｎｉｍｕｍ  ＰＨＹ  ｒａｔｅ、およびＳｕｒｐｌｕｓ  ｂａｎｄｗｉｄｔｈ  Ａｌｌｏｗａｎｃｅ等がある。【００７４】
ＴＳＰＥＣに含まれるＥｌｅｍｅｎｔ  ＩＤは、ＴＳＰＥＣがトラフィックの仕様であることを表す。ＴＳＰＥＣに含まれるＬｅｎｇｔｈは、ＴＳＰＥＣの全体の長さを表す。Ｎｏｍｉｎａｌ  ＭＳＤＵサイズは、フレームサイズの平均値を表す。Ｍａｘｉｍｕｍ  ＭＳＤＵサイズは、フレームサイズの最大値を表す。Ｍｉｎｉｍｕｍ  ＭＳＤＵサイズは、フレームサイズの最小値を表す。Ｍａｘｉｍｕｍ  Ｓｅｒｖｉｃｅ  Ｉｎｔｅｒｖａｌは、サービス期間を表す。【００７５】
Ｉｎａｃｔｉｖｉｔｙ  Ｉｎｔｅｒｖａｌは、リンクのタイムアウト値を表す。Ｓｅｒｖｉｃｅ  Ｓｔａｒｔ  ｔｉｍｅは、サービスを開始する時間を表す。Ｍｉｎｉｍｕｍ  ｄａｔａ  ｒａｔｅは、転送レートの最小値を表す。Ｍｅａｎ  ｄａｔａ  ｒａｔｅは、データレートの平均値を表す。Ｍａｘｉｍｕｍ  ｂｕｒｓｔサイズは、ピークデータレートにおけるＭＳＤＵの最大バースト値を表す。Ｄｅｌａｙ  ｂｏｕｎｄは、許容遅延時間を表す。Ｍｉｎｉｍｕｍ  ＰＨＹ  ｒａｔｅは、物理層における転送レートの最小値を表す。Ｓｕｒｐｌｕｓ  ｂａｎｄｗｉｄｔｈ  Ａｌｌｏｗａｎｃｅは、再送等を考慮した標準帯域比を表す。従って、ＴＳＰＥＣには、トラフィックの特性およびＱｏＳ要求が格納される。【００７６】
図６は、アドミッション応答パケットＡＤＤＴＳｒｅｐｌｙの構成図である。アドミッション応答パケットＡＤＤＴＳｒｅｐｌｙは、Ｃａｔｅｇｏｒｙと、Ａｃｔｉｏｎと、Ｄｉａｌｏｇ  ｔｏｋｅｎと、Ｓｔａｔｕｓ  Ｃｏｄｅと、ＴＳＰＥＣとからなる。【００７７】
Ｃａｔｅｇｏｒｙは、“１”からなる。Ａｃｔｉｏｎは、“１”からなる。Ｓｔａｔｕｓ  Ｃｏｄｅは、要求動作が成功したか失敗したかを示すために用いられる。Ｄｉａｌｏｇ  ｔｏｋｅｎおよびＴＳＰＥＣについては、上述したとおりである。
この発明は、マルチホップ無線ネットワークシステム１０において、ネットワークのキャパシティを越えないようにアドミッション・コントロールを行なうことによって、優先順位が高いアクセス・カテゴリＡＣ１またはＡＣ２で通信を望む音声トラフィックまたは動画トラフィックが許可されたトラフィックの品質を確保できるようにするものである。具体的には、マルチほっむ無線ネットワークシステム１０においては、送信元の無線装置は、他の無線装置を介して送信先の無線装置との間で無線通信を行なうため、送信元から送信先までの無線通信経路の特性を測定し、その測定した無線通信経路の特性に基づいて、アドミッションコントロールを行なう。【００７８】
従って、アドミッションコントロールの基礎となる無線通信経路の特性の測定について説明する。【００７９】
［無線通信経路の特性の測定］
無線通信経路の特性の測定は、送信元の無線装置が特性測定用パケットＲＭＰを生成して送信することにより開始される。【００８０】
以下においては、無線装置Ｍ１−無線装置Ｍ２−無線装置Ｍ５−無線装置Ｍ８からなる無線通信経路の特性を測定する場合について説明する。この場合、無線装置Ｍ１が送信元であり、無線装置Ｍ８が送信先であり、無線装置Ｍ２，Ｍ５が送信元と送信先との間で無線通信を中継する中継端末である。【００８１】
また、各無線装置Ｍ１，Ｍ２，Ｍ５，Ｍ８は、例えば、輻輳状態、遅延時間およびパケット伝達率を無線通信経路の特性として測定する。輻輳状態、遅延時間およびパケット伝達率が無線通信経路の特性として測定される場合、特性測定用パケットＲＭＰのＭｅａｓｕｒｅｍｅｎｔ  Ｔｙｐｅ１，Ｍｅａｓｕｒｅｍｅｎｔ  Ｔｙｐｅ２，Ｍｅａｓｕｒｅｍｅｎｔ  Ｔｙｐｅ３には、それぞれ、輻輳状態の測定要求、遅延時間の測定要求およびパケット伝達率ｄｅｌｉｖｅｒｙ＿ｒａｔｉｏ（＝エンド・エンドのパケット伝達率）の測定要求が格納され、Ｍｅａｓｕｒｅｄ  ｖａｌｕｅ１，Ｍｅａｓｕｒｅｄ  ｖａｌｕｅ２，Ｍｅａｓｕｒｅｄ  ｖａｌｕｅ３（図４参照）には、それぞれ、輻輳状態、遅延時間およびパケット伝達率ｄｅｌｉｖｅｒｙ＿ｒａｔｉｏが格納される。【００８２】
送信元の無線装置Ｍ１において、制御部１７７は、輻輳状態、遅延時間およびパケット伝達率ｌｏｃａｌ＿ｄｅｌｉｖｅｒｙ＿ｒａｔｉｏを測定するように測定部１７６を制御し、測定部１７６は、制御部１７７からの制御に応じて、上述した方法によって、輻輳状態、遅延時間およびパケット伝達率ｌｏｃａｌ＿ｄｅｌｉｖｅｒｙ＿ｒａｔｉｏを測定し、その測定した輻輳状態、遅延時間およびパケット伝達率ｌｏｃａｌ＿ｄｅｌｉｖｅｒｙ＿ｒａｔｉｏを制御部１７７へ出力する。【００８３】
そうすると、送信元の無線装置Ｍ１において、制御部１７７は、無線通信経路の特性を測定するための特性測定用パケットであること示す記号をＥｌｅｍｅｎｔ  ＩＤに格納し、Ｍｅａｓｕｒｅｍｅｎｔ  Ｔｙｐｅ１，Ｍｅａｓｕｒｅｍｅｎｔ  Ｔｙｐｅ２，Ｍｅａｓｕｒｅｍｅｎｔ  Ｔｙｐｅ３に、それぞれ、輻輳状態の測定要求、遅延時間の測定要求およびパケット伝達率ｄｅｌｉｖｅｒｙ＿ｒａｔｉｏの測定要求を格納するとともに、測定部１７６から受けた輻輳状態、遅延時間およびパケット伝達率ｌｏｃａｌ＿ｄｅｌｉｖｅｒｙ＿ｒａｔｉｏをそれぞれＭｅａｓｕｒｅｄ  ｖａｌｕｅ１，Ｍｅａｓｕｒｅｄ  ｖａｌｕｅ２，Ｍｅａｓｕｒｅｄ  ｖａｌｕｅ３に格納して特性測定用パケットＲＭＰを生成する。【００８４】
この場合、送信元の無線装置Ｍ１において、制御部１７７は、測定部１７６が該当のアクセス・カテゴリに対するキューが輻輳状態であるとき、“１”をＭｅａｓｕｒｅｄ  ｖａｌｕｅ１に格納し、測定部１７６が輻輳状態を測定しないとき、“０”をＭｅａｓｕｒｅｄ  ｖａｌｕｅ１に格納する。【００８５】
送信元の無線装置Ｍ１において、制御部１７７は、特性測定用パケットＲＭＰを生成すると、その生成した特性測定用パケットＲＭＰを送信部１７５へ出力し、送信部１７５は、制御部１７７からの特性測定用パケットＲＭＰを無線インターフェースモジュール１６およびアンテナ１１を介して無線装置Ｍ２へ送信する。【００８６】
（Ａ）中継端末における輻輳状態の測定
図７は、中継端末における輻輳状態を測定する動作を説明するためのフローチャートである。一連の動作が開始されると、無線装置Ｍ２の受信部１７８は、アンテナ１１および無線インターフェースモジュール１６を介して無線装置Ｍ１から特性測定用パケットＲＭＰを受信し、その受信した特性測定用パケットＲＭＰを識別部１７９を介して制御部１７７へ出力する。【００８７】
無線装置Ｍ２において、制御部１７７は、受信部１７８から特性測定用パケットＲＭＰを受ける。これによって、特性測定用パケットＲＭＰが到着する（ステップＳ１）。【００８８】
そして、無線装置Ｍ２において、制御部１７７は、特性測定用パケットＲＭＰのＥｌｅｍｅｎｔ  ＩＤを参照して、無線通信経路の特性の測定が要求されていることを検知するとともに、特性測定用パケットＲＭＰのＭｅａｓｕｒｅｍｅｎｔ  Ｔｙｐｅ１を参照して、輻輳状態の測定が要求されているか否かを判定する（ステップＳ２）。【００８９】
ステップＳ２において、輻輳状態の測定が要求されていないと判定されたとき、一連の動作は終了する。一方、ステップＳ２において、輻輳状態の測定が要求されていると判定されたとき、無線装置Ｍ２の制御部１７７は、特性測定用パケットＲＭＰのＭｅａｓｕｒｅｄ  ｖａｌｕｅ１（＝Ｃｏｎｇｅｓｔｅｄ  フィールド）の値が“０”であるか否かを更に判定する（ステップＳ３）。【００９０】
ステップＳ３において、Ｍｅａｓｕｒｅｄ  ｖａｌｕｅ１（＝Ｃｏｎｇｅｓｔｅｄ  フィールド）の値が“０”でないと判定されたとき、一連の動作は終了する。【００９１】
一方、ステップＳ３において、Ｍｅａｓｕｒｅｄ  ｖａｌｕｅ１（＝Ｃｏｎｇｅｓｔｅｄ  フィールド）の値が“０”であると判定されたとき、無線装置Ｍ２において、制御部１７７は、該当のアクセスカテゴリ（例えば、アクセスカテゴリＡＣ１）の輻輳状態を測定するように測定部１７６を制御する。【００９２】
そして、無線装置Ｍ２の測定部１７６は、アクセスカテゴリＡＣ１の輻輳状態を上述した方法によって測定し、その測定結果を制御部１７７へ出力する。無線装置Ｍ２の制御部１７７は、測定部１７６から受けた測定結果に基づいて、自端末が該当のアクセスカテゴリＡＣ１に対して輻輳状態であるか否かを判定する（ステップＳ４）。【００９３】
より具体的には、無線装置Ｍ２の制御部１７７は、輻輳状態を示す“１”を測定部１７６から受ければ、自端末が該当のアクセスカテゴリＡＣ１に対して輻輳状態であると判定し、輻輳状態でないことを示す“０”を測定部１７６から受ければ、自端末が該当のアクセスカテゴリＡＣ１に対して輻輳状態でないと判定する。【００９４】
ステップＳ４において、自端末が該当のアクセスカテゴリＡＣ１に対して輻輳状態でないと判定されたとき、一連の動作は終了する。一方、ステップＳ４において、自端末が該当のアクセスカテゴリＡＣ１に対して輻輳状態であると判定されたとき、無線装置Ｍ２の制御部１７７は、Ｍｅａｓｕｒｅｄ  Ｖａｌｕｅ１（＝Ｃｏｎｇｅｓｔｅｄ  フィールド）の値を“１”に設定する（ステップＳ５）。これによって、一連の動作は終了する。【００９５】
ステップＳ３において、Ｍｅａｓｕｒｅｄ  Ｖａｌｕｅ１（＝Ｃｏｎｇｅｓｔｅｄ  フィールド）の値が“０”でないとき、一連の動作が終了することにしたのは、この場合、Ｍｅａｓｕｒｅｄ  Ｖａｌｕｅ１（＝Ｃｏｎｇｅｓｔｅｄ  フィールド）の値は“１”に設定されており、送信元の無線装置Ｍ１の該当のアクセスカテゴリＡＣ１が既に輻輳状態にあるので、無線装置Ｍ２の該当のアクセスカテゴリＡＣ１が輻輳状態であるか否かを測定する必要がないからである。即ち、この発明においては、送信元から送信先までの無線通信経路上の複数の無線装置Ｍ１，Ｍ２，Ｍ５，Ｍ８のうち、少なくとも１つの無線装置において輻輳状態が測定されれば、その無線通信経路の特性を輻輳状態とする。【００９６】
また、ステップＳ４において、自端末が該当のアクセスカテゴリＡＣ１に対して輻輳状態でないと判定されたとき、一連の動作が終了することにしたのは、ステップＳ４が実行されるのは、無線装置Ｍ１が輻輳状態でないと判定されたときであるので、無線装置Ｍ２が輻輳状態でないと判定されたとき、特性測定用パケットＲＭＰのＭｅａｓｕｒｅｄ  ｖａｌｕｅ１（＝Ｃｏｎｇｅｓｔｅｄ  フィールド）を更新する必要がないからである。【００９７】
上述したように、中継端末である無線装置Ｍ２の制御部１７７は、自己における輻輳状態の測定結果を考慮して特性測定用パケットＲＭＰのＭｅａｓｕｒｅｄ  ｖａｌｕｅ１（＝Ｃｏｎｇｅｓｔｅｄ  フィールド）を更新する。【００９８】
なお、中継端末である無線装置Ｍ５も、図７に示すフローチャートに従って特性測定用パケットＲＭＰのＭｅａｓｕｒｅｄ  ｖａｌｕｅ１（＝Ｃｏｎｇｅｓｔｅｄ  フィールド）を更新する。【００９９】
（Ｂ）中継端末における遅延時間の測定
図８は、中継端末における遅延時間を測定する動作を説明するためのフローチャートである。一連の動作が開始されると、無線装置Ｍ２の受信部１７８は、アンテナ１１および無線インターフェースモジュール１６を介して無線装置Ｍ１から特性測定用パケットＲＭＰを受信し、その受信した特性測定用パケットＲＭＰを識別部１７９を介して制御部１７７へ出力する。【０１００】
無線装置Ｍ２において、制御部１７７は、受信部１７８から特性測定用パケットＲＭＰを受ける。これによって、特性測定用パケットＲＭＰが到着する（ステップＳ１１）。【０１０１】
そして、無線装置Ｍ２において、制御部１７７は、特性測定用パケットＲＭＰのＥｌｅｍｅｎｔ  ＩＤを参照して、無線通信経路の特性の測定が要求されていることを検知するとともに、特性測定用パケットＲＭＰのＭｅａｓｕｒｅｍｅｎｔ  Ｔｙｐｅ２を参照して、エンド・エンドの遅延時間の測定が要求されているか否かを判定する（ステップＳ１２）。【０１０２】
ステップＳ１２において、エンド・エンドの遅延時間の測定が要求されていないと判定されたとき、一連の動作は終了する。一方、ステップＳ１２において、エンド・エンドの遅延時間の測定が要求されていると判定されたとき、無線装置Ｍ２の制御部１７７は、無線装置Ｍ２における該当のアクセスカテゴリＡＣ１の遅延時間を測定するように測定部１７６を制御する。【０１０３】
そして、無線装置Ｍ２の測定部１７６は、制御部１７７からの制御に従って、特性測定用パケットＲＭＰの到着時刻ａｒｒｉｖａｌ＿ｔｉｍｅを現在時刻ｃｕｒｒｅｎｔ＿ｔｉｍｅに設定する（ステップＳ１３）。【０１０４】
その後、無線装置Ｍ２の制御部１７７は、特性測定用パケットＲＭＰを分類部１７１へ出力し、分類部１７１は、制御部１７７から受けた特性測定用パケットＲＭＰを該当のアクセスカテゴリＡＣ１のバッファ（＝キュー１７２Ａ）に格納する（ステップＳ１４）。そして、無線装置Ｍ２のバッファ（＝キュー１７２Ａ）は、格納された特性測定用パケットＲＭＰをＥＤＣＡコントロール部１７３Ａへ出力し、ＥＤＣＡコントロール部は、バッファ（＝キュー１７２Ａ）から受けた特性測定用パケットＲＭＰをフレーム送信間隔ＡＩＦＳ［ＡＣ１］の経過後、バックオフタイムＢａｃｋｏｆｆ［ＡＣ１］が“０”に減少するまで保持し、その後、バッファ（＝キュー１７２Ａ）から受けた特性測定用パケットＲＭＰをスケジューラー１７４へ出力する。【０１０５】
スケジューラー１７４は、ＥＤＣＡコントロール部１７３Ａからの特性測定用パケットＲＭＰを送信部１７５へ出力する。これによって、特性測定用パケットＲＭＰの送信準備が完了する（ステップＳ１５）。【０１０６】
無線装置Ｍ２の送信部１７５は、スケジューラー１７４から特性測定用パケットＲＭＰを受けると、特性測定用パケットＲＭＰを受信したことを示す通知を測定部１７６へ出力する。【０１０７】
そうすると、無線装置Ｍ２の測定部１７６は、特性測定用パケットＲＭＰを受信したことを示す通知を送信部１７５から受けた時刻を現在時刻ｃｕｒｒｅｎｔ＿ｔｉｍｅに設定し、現在時刻ｃｕｒｒｅｎｔ＿ｔｉｍｅから到着時刻ａｒｒｉｖａｌ＿ｔｉｍｅを減算することにより、無線装置Ｍ２における遅延時間ｓｏｊｏｕｒｎ（＝ｃｕｒｒｅｎｔ＿ｔｉｍｅ−ａｒｒｉｖａｌ＿ｔｉｍｅ）を演算する。そして、無線装置Ｍ２の測定部１７６は、その演算した遅延時間ｓｏｊｏｕｒｎを制御部１７７へ出力する。【０１０８】
無線装置Ｍ２の制御部１７７は、測定部１７６から遅延時間ｓｏｊｏｕｒｎを受けると、特性測定用パケットＲＭＰのＭｅａｓｕｒｅｄ  ｖａｌｕｅ２に格納されたエンド・エンドの遅延時間ｄｅｌａｙを読み出し、測定部１７６から受けた遅延時間ｓｏｊｏｕｒｎをエンド・エンドの遅延時間ｄｅｌａｙに加算してエンド・エンドの遅延時間ｄｅｌａｙを更新する（ステップＳ１６）。【０１０９】
無線装置Ｍ２の制御部１７７は、エンド・エンドの遅延時間ｄｅｌａｙを更新すると、その更新したエンド・エンドの遅延時間ｄｅｌａｙを特性測定用パケットＲＭＰのＭｅａｓｕｒｅｄ  ｖａｌｕｅ２に格納して特性測定用パケットＲＭＰを更新する。これによって、一連の動作は終了する。【０１１０】
このように、中継端末である無線装置Ｍ２は、送信元の無線装置Ｍ１から無線装置Ｍ２までの遅延時間ｄｅｌａｙに自己における遅延時間ｓｏｊｏｕｒｎを加算してエンド・エンドの遅延時間ｄｅｌａｙを更新する。【０１１１】
なお、中継端末である無線装置Ｍ５も、図８に示すフローチャートに従って自己における遅延時間ｓｏｊｏｕｒｎを測定し、その測定した遅延時間ｓｏｊｏｕｒｎによってエンド・エンドの遅延時間ｄｅｌａｙを更新する。【０１１２】
（Ｃ）中継端末におけるパケット伝達率の測定
図９は、中継端末におけるパケット伝達率ｄｅｌｉｖｅｒｙ＿ｒａｔｉｏを測定する動作を説明するためのフローチャートである。一連の動作が開始されると、無線装置Ｍ２の受信部１７８は、アンテナ１１および無線インターフェースモジュール１６を介して無線装置Ｍ１から特性測定用パケットＲＭＰを受信し、その受信した特性測定用パケットＲＭＰを識別部１７９を介して制御部１７７へ出力する。【０１１３】
無線装置Ｍ２において、制御部１７７は、受信部１７８から特性測定用パケットＲＭＰを受ける。これによって、特性測定用パケットＲＭＰが到着する（ステップＳ２１）。【０１１４】
そして、無線装置Ｍ２において、制御部１７７は、特性測定用パケットＲＭＰのＥｌｅｍｅｎｔ  ＩＤを参照して、無線通信経路の特性の測定が要求されていることを検知するとともに、特性測定用パケットＲＭＰのＭｅａｓｕｒｅｍｅｎｔ  Ｔｙｐｅ３を参照して、パケット伝達率ｄｅｌｉｖｅｒｙ＿ｒａｔｉｏの測定が要求されているか否かを判定する（ステップＳ２２）。【０１１５】
ステップＳ２２において、パケット伝達率ｄｅｌｉｖｅｒｙ＿ｒａｔｉｏの測定が要求されていないと判定されたとき、一連の動作は終了する。一方、ステップＳ２２において、パケット伝達率ｄｅｌｉｖｅｒｙ＿ｒａｔｉｏの測定が要求されていると判定されたとき、無線装置Ｍ２におけるパケット伝達率ｌｏｃａｌ＿ｄｅｌｉｖｅｒｙ＿ｒａｔｉｏを測定するように測定部１７６を制御する。【０１１６】
そうすると、無線装置Ｍ２の測定部１７６は、上述した方法によって、無線装置Ｍ２におけるパケット伝達率ｌｏｃａｌ＿ｄｅｌｉｖｅｒｙ＿ｒａｔｉｏを測定し、その測定したパケット伝達率ｌｏｃａｌ＿ｄｅｌｉｖｅｒｙ＿ｒａｔｉｏを制御部１７７へ出力する。【０１１７】
無線装置Ｍ２の制御部１７７は、パケット伝達率ｌｏｃａｌ＿ｄｅｌｉｖｅｒｙ＿ｒａｔｉｏを測定部１７６から受けると、特性測定用パケットＲＭＰのＭｅａｓｕｒｅｄ  ｖａｌｕｅ３に格納されたパケット伝達率ｄｅｌｉｖｅｒｙ＿ｒａｔｉｏを読み出し、その読み出したパケット伝達率ｄｅｌｉｖｅｒｙ＿ｒａｔｉｏにパケット伝達率ｌｏｃａｌ＿ｄｅｌｉｖｅｒｙ＿ｒａｔｉｏを乗算して、特性測定用パケットＲＭＰに格納されたパケット伝達率ｄｅｌｉｖｅｒｙ＿ｒａｔｉｏを更新する（ステップＳ２３）。【０１１８】
そうすると、無線装置Ｍ２の制御部１７７は、更新したパケット伝達率ｄｅｌｉｖｅｒｙ＿ｒａｔｉｏを特性測定用パケットＲＭＰのＭｅａｓｕｒｅｄ  ｖａｌｕｅ３に格納して特性測定用パケットＲＭＰを更新する。これによって、一連の動作が終了する。【０１１９】
このように、中継端末である無線装置Ｍ２は、送信元の無線装置Ｍ１から無線装置Ｍ２までのパケット伝達率ｄｅｌｉｖｅｒｙ＿ｒａｔｉｏに自己におけるパケット伝達率ｌｏｃａｌ＿ｄｅｌｉｖｅｒｙ＿ｒａｔｉｏを乗算して無線通信経路のパケット伝達率ｄｅｌｉｖｅｒｙ＿ｒａｔｉｏを更新する。【０１２０】
なお、無線装置Ｍ５も、図９に示すフローチャートに従って自己におけるパケット伝達率ｌｏｃａｌ＿ｄｅｌｉｖｅｒｙ＿ｒａｔｉｏを測定し、その測定したパケット伝達率ｌｏｃａｌ＿ｄｅｌｉｖｅｒｙ＿ｒａｔｉｏによって、無線通信経路のパケット伝達率ｄｅｌｉｖｅｒｙ＿ｒａｔｉｏを更新する。【０１２１】
中継端末である無線装置Ｍ２の制御部１７７は、上述した動作によって、特性測定用パケットＲＭＰを更新すると、その更新した特性測定用パケットＲＭＰを送信部１７５へ出力し、送信部１７５は、制御部１７７からの特性測定用パケットＲＭＰを無線装置Ｍ５へ送信する。また、中継端末である無線装置Ｍ５の制御部１７７は、上述した動作によって、特性測定用パケットＲＭＰを更新すると、その更新した特性測定用パケットＲＭＰを送信部１７５へ出力し、送信部１７５は、制御部１７７からの特性測定用パケットＲＭＰを送信先の無線装置Ｍ８へ送信する。これによって、測定された特性（＝輻輳状態、遅延時間およびパケット伝達率ｄｅｌｉｖｅｒｙ＿ｒａｔｉｏ）は、送信先の無線装置Ｍ８へ送信される。【０１２２】
［無線通信経路の特性の測定における具体例］
図１０は、無線通信経路の特性の測定における具体例を示す図である。一連の動作が開始されると、送信端末（＝無線装置Ｍ１、以下、同じ。）は、アクセスカテゴリＡＣ２に対する無線通信経路の特性を測定するために、測定要素として輻輳状態、遅延時間、およびパケット伝達率ｄｅｌｉｖｅｒｙ＿ｒａｔｉｏを決定する（ステップＳ１）。【０１２３】
そして、送信端末は、輻輳状態、遅延時間およびパケット伝達率ｄｅｌｉｖｅｒｙ＿ｒａｔｉｏの各測定のためのフィールド（Ｍｅａｓｕｒｅｍｅｎｔ  Ｔｙｐｅ１からＭｅａｓｕｒｅｄ  ｖａｌｕｅ３までのフィールド）を設定して特性測定用パケットＲＭＰを生成する（ステップＳ３２）。【０１２４】
その後、送信端末は、自己における輻輳状態＝０、遅延時間＝０．２ｓ、およびパケット伝達率＝１を上述した方法によって測定し（ステップＳ３３）、その測定した輻輳状態＝０、遅延時間＝０．２ｓ、およびパケット伝達率＝１を特性測定用パケットＲＭＰの各フィールドに格納して特性測定用パケットＲＭＰを中継端末１（＝無線装置Ｍ２、以下、同じ。）へ送信する（ステップＳ３４）。【０１２５】
そして、中継端末１は、送信端末から特性測定用パケットＲＭＰを受信すると、自己における輻輳状態＝０、遅延時間＝０．３ｓ、およびパケット伝達率＝０．９を上述した方法によって測定し（ステップＳ３５）、その測定した輻輳状態＝０、遅延時間＝０．３ｓ、およびパケット伝達率＝０．９によって、送信端末からの特性測定用パケットＲＭＰに格納された輻輳状態＝０、遅延時間＝０．２ｓ、およびパケット伝達率＝１をそれぞれ更新する。【０１２６】
より具体的には、中継端末１は、送信端末からの特性測定用パケットＲＭＰに格納された輻輳状態＝０を自己における輻輳状態＝０によって輻輳状態＝０に更新し、送信端末からの特性測定用パケットＲＭＰに格納された遅延時間＝０．２ｓを自己における遅延時間＝０．３ｓによって遅延時間＝０．５ｓ（＝０．２ｓ＋０．３ｓ）に更新し、送信端末からの特性測定用パケットＲＭＰに格納されたパケット伝達率＝１を自己におけるパケット伝達率＝０．９によってパケット伝達率＝０．９（＝１×０．９）に更新する。【０１２７】
そして、中継端末１は、その更新した輻輳状態＝０、遅延時間＝０．５ｓおよびパケット伝達率＝０．９を特性測定用パケットＲＭＰの各フィールドに格納して中継端末２（＝無線装置Ｍ５、以下、同じ。）へ送信する（ステップＳ３６）。【０１２８】
中継端末２は、中継端末１から特性測定用パケットＲＭＰを受信すると、自己における輻輳状態＝１、遅延時間＝０．４ｓ、およびパケット伝達率＝０．８を上述した方法によって測定し（ステップＳ３７）、その測定した輻輳状態＝１、遅延時間＝０．４ｓ、およびパケット伝達率＝０．８によって、中継端末１からの特性測定用パケットＲＭＰに格納された輻輳状態＝０、遅延時間＝０．５ｓ、およびパケット伝達率＝０．９をそれぞれ更新する。【０１２９】
より具体的には、中継端末２は、中継端末１からの特性測定用パケットＲＭＰに格納された輻輳状態＝０を自己における輻輳状態＝１によって輻輳状態＝１に更新し、中継端末１からの特性測定用パケットＲＭＰに格納された遅延時間＝０．５ｓを自己における遅延時間＝０．４ｓによって遅延時間＝０．９ｓ（＝０．５ｓ＋０．４ｓ）に更新し、中継端末１からの特性測定用パケットＲＭＰに格納されたパケット伝達率＝０．９を自己におけるパケット伝達率＝０．８によってパケット伝達率＝０．７２（＝０．９×０．８）に更新する。【０１３０】
そして、中継端末２は、その更新した輻輳状態＝１、遅延時間＝０．９ｓおよびパケット伝達率＝０．７２を特性測定用パケットＲＭＰの各フィールドに格納して送信先端末（＝無線装置Ｍ８、以下、同じ。）へ送信する（ステップＳ３８）。【０１３１】
そうすると、送信先端末は、中継端末２から特性測定用パケットＲＭＰを受信し（ステップＳ３９）、その受信した特性測定用パケットＲＭＰから輻輳状態＝１、遅延時間＝０．９ｓおよびパケット伝達率＝０．７２を読み出し、輻輳状態＝１、エンド・エンドの遅延時間＝０．９ｓおよびエンド・エンドのパケット伝達率＝０．７２からなる無線通信経路の特性を把握する（ステップＳ４０）。【０１３２】
このように、送信元から送信先までの無線通信経路の特性は、送信端末による特性測定用パケットＲＭＰの生成および送信によって測定が開始され、最終的に送信先端末へ送信される。【０１３３】
この発明においては、アドミッションコントロールは、上述した方法によって測定された無線通信経路の特性に基づいて行われるが、そのアドミッションコントロールを行なう無線装置は、送信先端末、中継端末、送信端末および集中制御端末のいずれかである。【０１３４】
そこで、以下においては、送信先端末、中継端末、送信端末および集中制御端末がアドミッションコントロールを行なう場合について、順次、説明する。【０１３５】
［実施の形態１］
実施の形態１においては、送信先端末がアドミッションコントロールを行なう場合について説明する。【０１３６】
図１１は、送信先端末がアドミッションコントロールを行なう動作を説明するためのフローチャートである。送信端末の上位層１８が新たに生成されるマルチメディア・トラフィック（音声または映像）の品質か言う穂の要求信号ＲＥＱを分類部１７１へ出力し、分類部１７１は、その旨を制御部１７７の伝えることにより一連の動作が開始される。一連の動作が開始されると、送信端末は、上述した方法によって特性測定用パケットＲＭＰを作成するとともに、自己における無線通信経路の特性を測定し、その測定した無線通信経路の特性を特性測定用パケットＲＭＰに格納して中継端末へ送信する（ステップＳ４１）。【０１３７】
そして、中継端末は、送信端末から特性測定用パケットＲＭＰを受信すると、必要な要素（輻輳状態、遅延時間およびパケット伝達率）を測定し、その測定した必要な要素（輻輳状態、遅延時間およびパケット伝達率）によって各要素のフィールドを更新して送信先端末へ送信する（ステップＳ４２）。【０１３８】
送信先端末は、中継端末から特性測定用パケットＲＭＰを受信すると、特性測定用パケットＲＭＰに格納された要素（輻輳状態、遅延時間およびパケット伝達率）を読み出して、無線通信経路の特性を把握する（ステップＳ４３）。【０１３９】
その後、送信端末の制御部１７７は、トラフィックの特性およびＱｏＳ要求を明記したアドミッション要求パケットＡＤＤＴＳｒｅｑｕｅｓｔを生成し、その生成したアドミッション要求パケットＡＤＤＴＳｒｅｑｕｅｓｔを送信部１７５へ出力し、送信部１７５は、制御部１７７から受けたアドミッション要求パケットＡＤＤＴＳｒｅｑｕｅｓｔを無線インターフェースモジュール１６およびアンテナ１１を介して送信先端末へ送信する（ステップＳ４４）。【０１４０】
送信先端末の受信部１７８は、アンテナ１１および無線インターフェースモジュール１６を介して送信端末からアドミッション要求パケットＡＤＤＴＳｒｅｑｕｅｓｔを受信し、その受信したアドミッション要求パケットＡＤＤＴＳｒｅｑｕｅｓｔを識別部１７９を介して制御部１７７へ出力する。送信先端末の制御部１７７は、アドミッション要求パケットＡＤＤＴＳｒｅｑｕｅｓｔを受信すると、アドミッション要求パケットＡＤＤＴＳｒｅｑｕｅｓｔからトラフィックのＱｏＳ要求を読み出し、ステップＳ４３において受信した無線通信経路の特性がトラフィックのＱｏＳ要求を満たすか否かを判定することにより、トラフィックのＱｏＳ要求を許可または拒否する。即ち、送信先端末の制御部１７７は、トラフィックのＱｏＳ要求および無線通信経路の特性を考慮してアドミッション要求を許可または拒否する（ステップＳ４５）。【０１４１】
そして、送信先端末の制御部１７７は、アドミッション要求を許可または拒否したとき、その結果をＳｔａｔｕｓ  ｃｏｄｅ（図６参照）に格納してアドミッション応答パケットＡＤＤＴＳｒｅｐｌｙを作成し、その作成したアドミッション応答パケットＡＤＤＴＳｒｅｐｌｙを送信部１７５へ出力し、送信部１７５は、制御部１７７から受けたアドミッション応答パケットＡＤＤＴＳｒｅｐｌｙを無線インターフェースモジュール１６およびアンテナ１１を介して中継端末（＝無線装置Ｍ２，Ｍ５、以下、同じ。）へ送信する（ステップＳ４６）。【０１４２】
中継端末の受信部１７８は、アンテナ１１および無線インターフェースモジュール１６を介して送信先端末からアドミッション応答パケットＡＤＤＴＳｒｅｐｌｙを受信し、その受信したアドミッション応答パケットＡＤＤＴＳｒｅｐｌｙを識別部１７９を介して制御部１７７へ出力する。【０１４３】
中継端末の制御部１７７は、受信部１７８からアドミッション応答パケットＡＤＤＴＳｒｅｐｌｙを受けると、アドミッション応答パケットＡＤＤＴＳｒｅｐｌｙのＳｔａｔｕｓ  ｃｏｄｅを参照して、アドミッション要求が許可されたか否かを判定する。そして、中継端末の制御部１７７は、アドミッション応答パケットＡＤＤＴＳｒｅｐｌｙのＳｔａｔｕｓ  ｃｏｄｅにアドミッション要求を許可する旨が格納されていれば、アドミッション要求が許可されたと判定し、送信端末から要求されたトラフィックのＱｏＳ要求を満たすための帯域を確保する。そして、中継端末の制御部１７７は、アドミッション応答パケットＡＤＤＴＳｒｅｐｌｙを送信部１７５へ出力し、送信部１７５は、アドミッション応答パケットＡＤＤＴＳｒｅｐｌｙを無線インターフェースモジュール１６およびアンテナ１１を介して送信端末へ送信する（ステップＳ４７）。【０１４４】
その後、送信端末の受信部１７８は、中継端末からアドミッション応答パケットＡＤＤＴＳｒｅｐｌｙを受信し、その受信したアドミッション応答パケットＡＤＤＴＳｒｅｐｌｙを識別部１７９を介して制御部１７７へ出力する。【０１４５】
送信端末の制御部１７７は、受信部１７８からアドミッション応答パケットＡＤＤＴＳｒｅｐｌｙを受けると、その受けたアドミッション応答パケットＡＤＤＴＳｒｅｐｌｙのＳｔａｔｕｓ  ｃｏｄｅを参照してアドミッション要求が許可されたか否かを判定する。そして、送信端末の制御部１７７は、アドミッション応答パケットＡＤＤＴＳｒｅｐｌｙのＳｔａｔｕｓ  ｃｏｄｅにアドミッション要求を許可する旨が格納されていれば、アドミッション要求が許可されたと判定し、許可信号ＡＬＬＷを生成して分類部１７１へ出力する。【０１４６】
送信端末の分類部１７１は、制御部１７７からの許可信号ＡＬＬＷに応じて、該当のトラフィックに対するアドミッションコントロールが許可されたことを上位層１８に知らせ、街灯のトラフィックのパケットＰＫＴを該当の優先順位が高いアクセス・カテゴリのキューに格納する。即ち、送信端末は、アドミッション応答パケットＡＤＤＴＳｒｅｐｌｙのＳｔａｔｕｓ  ｃｏｄｅにアドミッション要求を許可する旨が格納されていれば、該当の優先順位の高いアクセス・カテゴリで該当のトラフィックの送信を開始する（ステップＳ４８）。【０１４７】
一方、送信端末の制御部１７７は、アドミッション応答パケットＡＤＤＴＳｒｅｐｌｙのＳｔａｔｕｓ  ｃｏｄｅにアドミッション要求を拒否する旨が格納されていれば、アドミッション要求が拒否されたと判定し、拒否信号ＲＥＪを生成して分類部１７１へ出力する。送信端末の分類部１７１は、制御部１７７からの拒否信号ＲＥＪに応じて、該当のトラフィックに対するアドミッションコントロールが拒否されたことを上位層１８に知らせ、街灯のパケットＰＫＴを優先順位の高いアクセス・カテゴリに対するバッファに格納することを拒否する。【０１４８】
なお、送信端末の制御部１７７は、アドミッション応答パケットＡＤＤＴＳｒｅｐｌｙのＳｔａｔｕｓ  ｃｏｄｅにアドミッション要求を拒否する旨が格納されていても、ベストエフォートクラスでトラフィックの送信を開始してもよい。【０１４９】
これによって、送信先端末がアドミッションコントロールを行なう場合の動作が終了する。【０１５０】
このように、実施の形態１においては、送信端末、中継端末および送信先端末からなるマルチホップ無線ネットワークシステムにおいて、送信端末および中継端末は、無線通信経路の特性を測定して送信先端末へ送信し、送信先端末は、受信した無線通信経路の特性に基づいて、送信端末からのトラフィックのＱｏＳ要求を許可または拒否（＝アドミッションコントロール）する。【０１５１】
従って、実施の形態１によれば、マルチホップ無線ネットワークシステムにおいても、アドミッションコントロールを容易に行なうことができる。【０１５２】
なお、送信端末は、特性測定用パケットＲＭＰおよびアドミッション要求パケットＡＤＤＴＳｒｅｑｕｅｓｔを同時に送信してもよい。この場合、アドミッション要求パケットＡＤＤＴＳｒｅｑｕｅｓｔは、特性測定用パケットＲＭＰに載せられて送信される。【０１５３】
また、アドミッション要求パケットＡＤＤＴＳｒｅｑｕｅｓｔに応じて、アドミッション要求を許可または拒否する送信先端末の制御部１７７は、「無線制御局」を構成する。【０１５４】
［実施の形態２］
実施の形態２においては、中継端末がアドミッションコントロールを行なう場合について説明する。【０１５５】
図１２は、中継端末がアドミッションコントロールを行なう動作を説明するためのフローチャートである。図１２に示すフローチャートは、図１１に示すフローチャートのステップＳ４４，Ｓ４５をステップＳ５１〜Ｓ５３に代えたものであり、その他は、図１１に示すフローチャートと同じである。【０１５６】
一連の動作が開始されると、上述したように、送信端末および中継端末は、送信端末から送信先端末までの無線通信経路の特性を測定し、その測定した無線通信経路の特性を含む特性測定用パケットＲＭＰを送信先端末へ送信し、送信先端末は、特性測定用パケットＲＭＰを受信して送信端末から送信先端末までの無線通信経路の特性を把握する（ステップＳ４１〜ステップＳ４３）。【０１５７】
その後、送信端末の制御部１７７は、ａｄｍｉｔｔｅｄフィールドを“１”に設定し、かつ、トラフィックの特性およびＱｏＳ要求を明記してアドミッション要求パケットＡＤＤＴＳｒｅｑｕｅｓｔを生成する。そして、送信端末の制御部１７７は、その生成したアドミッション要求パケットＡＤＤＴＳｒｅｑｕｅｓｔを送信部１７５へ出力し、送信部１７５は、制御部１７７から受けたアドミッション要求パケットＡＤＤＴＳｒｅｑｕｅｓｔを無線インターフェースモジュール１６およびアンテナ１１を介して中継端末へ送信する（ステップＳ５１）。【０１５８】
中継端末の受信部１７８は、アンテナ１１および無線インターフェースモジュール１６を介して送信端末からアドミッション要求パケットＡＤＤＴＤｒｅｑｕｅｓｔを受信し、その受信したアドミッション要求パケットＡＤＤＴＤｒｅｑｕｅｓｔを識別部１７９を介して制御部１７７へ出力する。【０１５９】
中継端末の制御部１７７は、受信部１７８からアドミッション要求パケットＡＤＤＴＤｒｅｑｕｅｓｔを受けると、アドミッション要求パケットＡＤＤＴＤｒｅｑｕｅｓｔに明記されたＱｏＳ要求を読み出して自端末がトラフィックのＱｏＳ要求を満足できるか否かを判断する。【０１６０】
この場合、中継端末の制御部１７７は、自端末における輻輳状態等に基づいて、自端末がトラフィックのＱｏＳ要求を満足できるか否かを判定する。【０１６１】
そして、中継端末の制御部１７７は、自端末がトラフィックのＱｏＳ要求を満足できると判断したとき、ａｄｍｉｔｔｅｄフィールドを“１”に維持したまま、アドミッション要求パケットＡＤＤＴＳｒｅｑｕｅｓｔを送信部１７５へ出力し、送信部１７５は、制御部１７７から受けたアドミッション要求パケットＡＤＤＴＳｒｅｑｕｅｓｔを無線インターフェースモジュール１６およびアンテナ１１を介して送信先端末へ送信する。【０１６２】
一方、中継端末の制御部１７７は、自端末がトラフィックのＱｏＳ要求を満足できないと判断したとき、ａｄｍｉｔｔｅｄフィールドを“０”に設定してアドミッション要求パケットＡＤＤＴＳｒｅｑｕｅｓｔを送信部１７５へ出力し、送信部１７５は、制御部１７７から受けたアドミッション要求パケットＡＤＤＴＳｒｅｑｕｅｓｔを無線インターフェースモジュール１６およびアンテナ１１を介して送信先端末へ送信する（ステップＳ５２）。【０１６３】
送信先端末の受信部１７８は、アンテナ１１および無線インターフェースモジュール１６を介して中継端末からアドミッション要求パケットＡＤＤＴＳｒｅｑｕｅｓｔを受信し、その受信したアドミッション要求パケットＡＤＤＴＳｒｅｑｕｅｓｔを識別部１７９を介して制御部１７７へ出力する。【０１６４】
送信先端末の制御部１７７は、受信部１７８からアドミッション要求パケットＡＤＤＴＳｒｅｑｕｅｓｔを受けると、その受けたアドミッション要求パケットＡＤＤＴＳｒｅｑｕｅｓｔのａｄｍｉｔｔｅｄフィールドを参照してａｄｍｉｔｔｅｄフィールドが“０”に設定されているか否かを判定する。【０１６５】
そして、送信先端末の制御部１７７は、ａｄｍｉｔｔｅｄフィールドが“０”に設定されていれば、送信端末からのアドミッション要求を即座に拒否する。一方、送信先端末の制御部１７７は、ａｄｍｉｔｔｅｄフィールドが“０”に設定されていなければ、アドミッション要求パケットＡＤＤＴＳｒｅｑｕｅｓｔからトラフィックのＱｏＳ要求を読み出し、ステップＳ４３において受信した無線通信経路の特性がトラフィックのＱｏＳ要求を満たすか否かを判定することにより、トラフィックのＱｏＳ要求を許可または拒否する。即ち、送信先端末の制御部１７７は、トラフィックのＱｏＳ要求および無線通信経路の特性を考慮してアドミッション要求を許可または拒否する（ステップＳ５３）。【０１６６】
その後、送信先端末は、上述したステップＳ４６を実行し、中継端末は、上述したステップＳ４７を実行し、送信端末は、上述したステップＳ４８を実行する。これによって、一連の動作が終了する。【０１６７】
送信先端末の制御部１７７は、アドミッション要求パケットＡＤＤＴＳｒｅｑｕｅｓｔのａｄｍｉｔｔｅｄフィールドが“０”に設定されていれば、送信端末からのアドミッション要求を即座に拒否し、アドミッション要求パケットＡＤＤＴＳｒｅｑｕｅｓｔのａｄｍｉｔｔｅｄフィールドが“１”に設定されている場合に、無線通信経路の特性に基づいて、送信端末からのアドミッション要求を許可するか拒否するかを判断するので（ステップＳ５３参照）、実施の形態２においては、中継端末が実質的にアドミッションコントロールを行なうことになる。【０１６８】
なお、中継端末の制御部１７７は、自端末がトラフィックのＱｏＳ要求を満足できないと判断したとき、アドミッション要求パケットＡＤＤＴＳｒｅｑｕｅｓｔを送信先端末へ送信せずに、アドミッション要求を拒否する旨をＳｔａｔｕｓ  ｃｏｄｅに明記したアドミッション応答パケットＡＤＤＴＳｒｅｐｌｙを作成して送信端末へ送信するようにしてもよい。【０１６９】
このように、実施の形態２においては、送信端末、中継端末および送信先端末からなるマルチホップ無線ネットワークシステムにおいて、送信端末および中継端末は、無線通信経路の特性を測定して送信先端末へ送信し、中継端末は、送信端末からのアドミッション要求を許可するか拒否するかを実質的に判断（＝アドミッションコントロール）する。【０１７０】
従って、実施の形態２によれば、マルチホップ無線ネットワークシステムにおいて、アドミッションコントロールを容易に行なうことができる。【０１７１】
なお、アドミッション要求パケットＡＤＤＴＳｒｅｑｕｅｓｔに応じて、アドミッション要求を実質的に許可または拒否する中継端末の制御部１７７は、「無線制御局」を構成する。【０１７２】
その他は、実施の形態１と同じである。【０１７３】
［実施の形態３］
実施の形態３においては、送信端末がアドミッションコントロールを行なう場合について説明する。【０１７４】
図１３は、送信端末がアドミッションコントロールを行なう動作を説明するためのフローチャートである。図１３に示すフローチャートは、図１１に示すフローチャートのステップＳ４３〜ステップＳ４８をステップＳ６１〜ステップＳ６４に代えたものであり、その他は、図１１に示すフローチャートと同じである。【０１７５】
一連の動作が開始されると、上述したように、送信端末および中継端末は、送信端末から送信先端末までの無線通信経路の特性を測定し、その測定した無線通信経路の特性を含む特性測定用パケットＲＭＰを送信先端末へ送信する（ステップＳ４１，Ｓ４２）。【０１７６】
送信先端末の受信部１７８は、アンテナ１１および無線インターフェースモジュール１６を介して中継端末から特性測定用パケットＲＭＰを受信し、その受信した特性測定用パケットＲＭＰを識別部１７９を介して制御部１７７へ出力する。【０１７７】
送信先端末の制御部１７７は、受信部１７８から特性測定用パケットＲＭＰを受けると、その受けた特性測定用パケットＲＭＰから輻輳状態、遅延時間およびパケット伝達率を読み出して送信端末から送信先端末までの無線通信経路の特性が測定されていることを検知する。そうすると、送信先端末の制御部１７７は、特性測定用パケットＲＭＰを送信部１７５へ出力し、送信部１７５は、制御部１７７から受けた特性測定用パケットＲＭＰを無線インターフェースモジュール１６およびアンテナ１１を介して送信端末へ送信する（ステップＳ６１）。【０１７８】
送信端末の受信部１７８は、特性測定用パケットＲＭＰを送信先端末から受信し、その受信した特性測定用パケットＲＭＰを識別部１７９を介して制御部１７７へ出力する。送信端末の制御部１７７は、受信部１７８から特性測定用パケットＲＭＰを受けると、その受けた特性測定用パケットＲＭＰに含まれる輻輳状態、遅延時間およびパケット伝達率を読み出して送信端末から送信先端末までの無線通信経路の特性を把握する（ステップＳ６２）。【０１７９】
その後、送信端末の制御部１７７は、把握した無線通信経路の特性がトラフィックのＱｏＳ要求を満たすか否かを判定し、トラフィックを該当のアクセス・カテゴリＡＣ１で送信すべきか否かを決定する（ステップＳ６３）。【０１８０】
そして、送信端末の制御部１７７は、トラフィックを該当のアクセス・カテゴリＡＣ１で送信すべきであると決定すると、許可信号ＡＬＬＷを生成して分類部１７１へ出力し、分類部１７１は、制御部１７７からの許可信号ＡＬＬＷに応じて、該当のトラフィックに対するアドミッションコントロールが許可されたことを上位層１８に知らせ、該当のトラフィックのパケットＰＫＴを該当の優先順位が高いアクセス・カテゴリのキューに格納する。即ち、送信端末は、アドミッション応答パケットＡＤＤＴＳｒｅｐｌｙのＳｔａｔｕｓ  ｃｏｄｅにアドミッション要求を許可する旨が格納されていれば、該当の有線順位の高いアクセス・カテゴリで該当のトラフィックの送信を開始する（ステップＳ６４）。【０１８１】
一方、送信端末の制御部１７７は、トラフィックを該当のアクセス・カテゴリＡＣ１で送信すべきでないと決定すると、拒否信号ＲＥＪを生成して分類部１７１へ出力する。送信端末の分類部１７１は、制御部１７７からの拒否信号ＲＥＪに応じて、該当のトラフィックに対するアドミッションコントロールが拒否されたことを上位層１８に知らせ、該当のパケットＰＫＴを優先順位の高いアクセス・カテゴリに対するバッファに格納することを拒否する。これによって、一連の動作が終了する。【０１８２】
このように、実施の形態３においては、送信端末、中継端末および送信先端末からなるマルチホップ無線ネットワークシステムにおいて、送信端末および中継端末は、無線通信経路の特性を測定して送信先端末へ送信し、送信先端末は、無線通信経路の特性を送信端末へ報告し、送信端末は、送信先端末から受信した無線通信経路の特性に基づいて、アドミッション要求を許可するか拒否するかを判断（＝アドミッションコントロール）する。【０１８３】
従って、実施の形態３によれば、マルチホップ無線ネットワークシステムにおいても、アドミッションコントロールを容易に行なうことができる。【０１８４】
なお、アドミッション要求を許可または拒否する送信端末の制御部１７７は、「無線制御局」を構成する。【０１８５】
その他は、実施の形態１と同じである。【０１８６】
［実施の形態４］
実施の形態４においては、集中制御端末がアドミッションコントロールを行なう場合について説明する。集中制御端末は、送信端末、中継端末および送信先端末以外の端末であり、マルチホップ無線ネットワークシステム１０がメッシュ型の無線ネットワークシステムからなるとき、集中制御端末は、例えば、ゲートウエイ（ＧＷ：Ｇａｔｅ  Ｗａｙ＝無線装置Ｍ３、以下、同じ。）からなる。【０１８７】
また、集中制御端末がアドミッションコントロールを行なう場合、上述した無線通信経路の特性は、定期的またはアドミッションコントロールが必要なときに測定される。そして、測定された無線通信経路の特性は、集中制御端末へ送信される。従って、送信先端末は、中継端末から特性測定用パケットＲＭＰを受信すると、その受信した特性測定用パケットＲＭＰを集中制御端末へ送信する。【０１８８】
更に、集中制御端末がアドミッションコントロールを行なう場合、上述した無線通信経路の特性のみならず、マルチホップ無線ネットワークシステム１０のネットワーク状態も考慮してアドミッション要求を許可するか拒否するかが判断される。なお、ネットワーク状態は、マルチホップ無線ネットワークシステム１０におけるトラフィックの数、マルチホップ無線ネットワークシステム１０において無線通信を行なっている無線装置と無線通信を行なっていない無線装置との識別、およびマルチホップ無線ネットワークシステム１０における無線装置Ｍ１〜Ｍ９のトポロジー等からなる。【０１８９】
図１４は、集中制御端末がアドミッションコントロールを行なう動作を説明するためのフローチャートである。一連の動作が開始されると、送信端末の制御部１７７は、トラフィックの特性およびＱｏＳ要求を明記したアドミッション要求パケットＡＤＤＴＳｒｅｑｕｅｓｔを生成し、その生成したアドミッション要求パケットＡＤＤＴＳｒｅｑｕｅｓｔを送信部１７５へ出力し、送信部１７５は、制御部１７７から受けたアドミッション要求パケットＡＤＤＴＳｒｅｑｕｅｓｔを無線インターフェースモジュール１６およびアンテナ１１を介して集中制御端末へ送信する（ステップＳ７１）。【０１９０】
集中制御端末の受信部１７８は、アンテナ１１および無線インターフェースモジュール１６を介して送信端末からアドミッション要求パケットＡＤＤＴＳｒｅｑｕｅｓｔを受信し、その受信したアドミッション要求パケットＡＤＤＴＳｒｅｑｕｅｓｔを識別部１７９を介して制御部１７７へ出力する。集中制御端末の制御部１７７は、アドミッション要求パケットＡＤＤＴＳｒｅｑｕｅｓｔを受けると、アドミッション要求パケットＡＤＤＴＳｒｅｑｕｅｓｔからトラフィックのＱｏＳ要求を読み出し、無線通信経路の特性およびネットワーク状態がトラフィックのＱｏＳ要求を満たすか否かを判定することにより、トラフィックのＱｏＳ要求を許可または拒否する。即ち、集中制御端末の制御部１７７は、トラフィックのＱｏＳ要求、無線通信経路の特性およびネットワーク状態を考慮してアドミッション要求を許可または拒否する（ステップＳ７２）。【０１９１】
そして、集中制御端末の制御部１７７は、アドミッション要求を許可または拒否したとき、その結果をＳｔａｔｕｓ  ｃｏｄｅ（図６参照）に格納してアドミッション応答パケットＡＤＤＴＳｒｅｐｌｙを作成し、その作成したアドミッション応答パケットＡＤＤＴＳｒｅｐｌｙを送信部１７５へ出力し、送信部１７５は、制御部１７７から受けたアドミッション応答パケットＡＤＤＴＳｒｅｐｌｙを無線インターフェースモジュール１６およびアンテナ１１を介して送信端末へ送信する（ステップＳ７３）。【０１９２】
その後、送信端末の受信部１７８は、集中制御端末からアドミッション応答パケットＡＤＤＴＳｒｅｐｌｙを受信し、その受信したアドミッション応答パケットＡＤＤＴＳｒｅｐｌｙを識別部１７９を介して制御部１７７へ出力する。【０１９３】
送信端末の制御部１７７は、受信部１７８からアドミッション応答パケットＡＤＤＴＳｒｅｐｌｙを受けると、その受けたアドミッション応答パケットＡＤＤＴＳｒｅｐｌｙのＳｔａｔｕｓ  ｃｏｄｅを参照してアドミッション要求が許可されたか否かを判定する。そして、送信端末の制御部１７７は、アドミッション応答パケットＡＤＤＴＳｒｅｐｌｙのＳｔａｔｕｓ  ｃｏｄｅにアドミッション要求を許可する旨が格納されていれば、アドミッション要求が許可されたと判定し、許可信号ＡＬＬＷを生成して分類部１７１へ出力する。【０１９４】
送信端末の分類部１７１は、制御部１７７からの許可信号ＡＬＬＷに応じて、該当のトラフィックに対するアドミッションコントロールが許可されたことを上位層１８に知らせ、該当のトラフィックのパケットＰＫＴを該当の優先順位が高いアクセス・カテゴリのキューに格納する。即ち、送信端末は、アドミッション応答パケットＡＤＤＴＳｒｅｐｌｙのＳｔａｔｕｓ  ｃｏｄｅにアドミッション要求を許可する旨が格納されていれば、該当の優先順位の高いアクセス・カテゴリで該当のトラフィックの送信を開始する（ステップＳ７４）。【０１９５】
一方、送信端末の制御部１７７は、アドミッション応答パケットＡＤＤＴＳｒｅｐｌｙのＳｔａｔｕｓ  ｃｏｄｅにアドミッション要求を拒否する旨が格納されていれば、アドミッション要求が拒否されたと判定し、拒否信号ＲＥＪを生成して分類部１７１へ出力する。送信端末の分類部１７１は、制御部１７７からの拒否信号ＲＥＪに応じて、該当のトラフィックに対するアドミッションコントロールが拒否されたことを上位層１８に知らせ、該当のパケットＰＫＴを優先順位の高いアクセス・カテゴリに対するバッファに格納することを拒否する。【０１９６】
なお、送信端末の制御部１７７は、アドミッション応答パケットＡＤＤＴＳｒｅｐｌｙのＳｔａｔｕｓ  ｃｏｄｅにアドミッション要求を拒否する旨が格納されていても、ベストエフォートクラスでトラフィックの送信を開始してもよい。【０１９７】
これによって、集中制御端末がアドミッションコントロールを行なう場合の動作が終了する。【０１９８】
このように、実施の形態４においては、送信端末、中継端末、送信先端末および集中制御端末からなるマルチホップ無線ネットワークシステムにおいて、集中制御端末は、無線通信経路の特性およびネットワーク状態を把握しており、無線通信経路の特性およびネットワーク状態に基づいて、送信端末からのトラフィックのＱｏＳ要求を許可または拒否（＝アドミッションコントロール）する。【０１９９】
従って、実施の形態４によれば、マルチホップ無線ネットワークシステムにおいても、アドミッションコントロールを容易に行なうことができる。【０２００】
なお、アドミッション要求パケットＡＤＤＴＳｒｅｑｕｅｓｔに応じて、アドミッション要求を許可または拒否する集中制御端末の制御部１７７は、「無線制御局」を構成する。【０２０１】
その他は、実施の形態１と同じである。【０２０２】
［アドミッションコントロールの具体例］
中継端末がアドミッションコントロールを行なう場合を例にしてアドミッションコントロールの具体例について説明する。【０２０３】
（第１の具体例）
図１５は、アドミッションコントロールの第１の具体例を説明するためのフローチャートである。送信端末は、アクセス・カテゴリＡＣ２上におけるトラフィックの送信を希望し、そのトラフィックのＱｏＳ要求は、輻輳状態＝０、エンド・エンド間の遅延時間が０．２ｓ以下であり、かつ、パケット伝達率が０．９７以上である。【０２０４】
一連の動作が開始されると、送信端末は、上述した方法によって、自己における輻輳状態＝０、遅延時間＝０．０１ｓおよびパケット伝達率＝１．００を測定し（ステップＳ８１）、その測定した輻輳状態＝０、遅延時間＝０．０１ｓおよびパケット伝達率＝１．００を含む特性測定用パケットＲＭＰを生成して中継端末１へ送信する（ステップＳ８２）。【０２０５】
中継端末１は、送信端末から特性測定用パケットＲＭＰを受信すると、自己における輻輳状態＝０、遅延時間＝０．０２ｓおよびパケット伝達率＝１を測定するとともに（ステップＳ８３）、その測定した輻輳状態＝０、遅延時間＝０．０２ｓおよびパケット伝達率＝１によって、特性測定用パケットＲＭＰに含まれる輻輳状態＝０、遅延時間＝０．０１ｓおよびパケット伝達率＝１．００をそれぞれ輻輳状態＝０、遅延時間＝０．０３ｓおよびパケット伝達率＝１に更新し、その更新した輻輳状態＝０、遅延時間＝０．０３ｓおよびパケット伝達率＝１を含む特性測定用パケットＲＭＰを中継端末２へ送信する（ステップＳ８４）。【０２０６】
中継端末２は、中継端末１から特性測定用パケットＲＭＰを受信すると、自己における輻輳状態＝０、遅延時間＝０．０３ｓおよびパケット伝達率＝１を測定するとともに（ステップＳ８５）、その測定した輻輳状態＝０、遅延時間＝０．０３ｓおよびパケット伝達率＝１によって、特性測定用パケットＲＭＰに含まれる輻輳状態＝０、遅延時間＝０．０３ｓおよびパケット伝達率＝１．００をそれぞれ輻輳状態＝０、遅延時間＝０．０６ｓおよびパケット伝達率＝１に更新し、その更新した輻輳状態＝０、遅延時間＝０．０６ｓおよびパケット伝達率＝１を含む特性測定用パケットＲＭＰを送信先端末へ送信する（ステップＳ８６）。【０２０７】
送信先端末は、中継端末２から特性測定用パケットＲＭＰ＝［輻輳状態＝０／遅延時間＝０．０６ｓ／パケット伝達率＝１］を受信し、その受信した特性測定用パケットＲＭＰ＝［輻輳状態＝０／遅延時間＝０．０６ｓ／パケット伝達率＝１］から輻輳状態＝０／遅延時間＝０．０６ｓ／パケット伝達率＝１を検出し（ステップＳ８７）、無線通信経路の特性を把握する（ステップＳ８８）。【０２０８】
その後、送信端末の制御部１７７は、ａｄｍｉｔｔｅｄフィールドを“１”に設定し、かつ、ＱｏＳ要求＝［輻輳状態＝０、エンド・エンド間の遅延時間＝０．２以下、パケット伝達率＝０．９７以上］を明記したアドミッション要求パケットＡＤＤＴＳｒｅｑｕｅｓｔを作成して中継端末１へ送信する（ステップＳ８９）。【０２０９】
中継端末１の制御部１７７は、送信端末からアドミッション要求パケットＡＤＤＴＳｒｅｑｕｅｓｔを受信すると、アドミッション要求パケットＡＤＤＴＳｒｅｑｕｅｓｔに含まれるＱｏＳ要求＝［輻輳状態＝０、エンド・エンド間の遅延時間＝０．２以下、パケット伝達率＝０．９７以上］を読出し、送信端末から中継端末１までの無線通信経路の特性である［輻輳状態＝０、遅延時間＝０．０３ｓおよびパケット伝達率＝１］に基づいて、送信端末からのトラフィックのＱｏＳ要求を許可するか拒否するかを判断する。【０２１０】
この場合、送信端末から中継端末１までの経路における輻輳状態＝０は、ＱｏＳ要求に含まれる輻輳状態＝０を満たし、送信端末から中継端末１までの遅延時間＝０．０３ｓは、ＱｏＳ要求に含まれる遅延時間＝０．２ｓ以下を満たし、送信端末から中継端末１までのパケット伝達率＝１は、ＱｏＳ要求に含まれるパケット伝達率＝０．９７以上を満たすので、中継端末１の制御部１７７は、送信端末からのトラフィックのＱｏＳ要求を許可、即ち、送信端末からのアドミッション要求を許可する。そして、中継端末１の制御部１７７は、ａｄｍｉｔｔｅｄフィールドを“１”に維持したまま、アドミッション要求パケットＡＤＤＴＳｒｅｑｕｅｓｔを中継端末２へ送信する（ステップＳ９０）。【０２１１】
中継端末２の制御部１７７は、中継端末１からアドミッション要求パケットＡＤＤＴＳｒｅｑｕｅｓｔを受信すると、アドミッション要求パケットＡＤＤＴＳｒｅｑｕｅｓｔに含まれるＱｏＳ要求＝［輻輳状態＝０、エンド・エンド間の遅延時間＝０．２以下、パケット伝達率＝０．９７以上］を読出し、送信端末から中継端末２までの無線通信経路の特性である［輻輳状態＝０、遅延時間＝０．０６ｓおよびパケット伝達率＝１］に基づいて、送信端末からのトラフィックのＱｏＳ要求を許可するか拒否するかを判断する。【０２１２】
この場合、送信端末から中継端末２までの経路における輻輳状態＝０は、ＱｏＳ要求に含まれる輻輳状態＝０を満たし、送信端末から中継端末２までの遅延時間＝０．０６ｓは、ＱｏＳ要求に含まれる遅延時間＝０．２ｓ以下を満たし、送信端末から中継端末２までのパケット伝達率＝１は、ＱｏＳ要求に含まれるパケット伝達率＝０．９７以上を満たすので、中継端末２の制御部１７７は、送信端末からのトラフィックのＱｏＳ要求を許可、即ち、送信端末からのアドミッション要求を許可する。そして、中継端末２の制御部１７７は、ａｄｍｉｔｔｅｄフィールドを“１”に維持したまま、アドミッション要求パケットＡＤＤＴＳｒｅｑｕｅｓｔを送信先端末へ送信する（ステップＳ９１）。【０２１３】
送信先端末の制御部１７７は、中継端末２からアドミッション要求パケットＡＤＤＴＳｒｅｑｕｅｓｔを受信すると、アドミッション要求パケットＡＤＤＴＳｒｅｑｕｅｓｔのａｄｍｉｔｔｅｄフィールドが“１”に設定されていることを検出し、中継端末１，２が送信端末からのアドミッション要求を許可していることを検知する。【０２１４】
そうすると、送信先端末の制御部１７７は、ステップＳ８８において受信した無線通信経路の特性＝［輻輳状態＝０、エンド・エンドの遅延時間＝０．０６ｓ、パケット伝達率＝１］に基づいて、送信端末からのＱｏＳ要求＝［輻輳状態＝０、エンド・エンドの遅延時間＝０．２ｓ以下、パケット伝達率＝０．９７以上］を許可するか否かを判定する。【０２１５】
この場合、送信端末から送信先端末までの無線通信経路における輻輳状態＝０は、ＱｏＳ要求に含まれる輻輳状態＝０を満たし、送信端末から送信先端末までの遅延時間＝０．０６ｓは、ＱｏＳ要求に含まれる遅延時間＝０．２ｓ以下を満たし、送信端末から送信先端末までのパケット伝達率＝１は、ＱｏＳ要求に含まれるパケット伝達率＝０．９７以上を満たすので、送信先端末の制御部１７７は、送信端末からのトラフィックのＱｏＳ要求を許可、即ち、送信端末からのアドミッション要求を許可する。そして、送信先端末の制御部１７７は、Ｓｔａｔｕｓ  ｃｏｄｅにアドミッション要求を許可する旨を格納したアドミッション応答パケットＡＤＤＴＳｒｅｐｌｙを生成して送信端末へ送信する（ステップＳ９２）。【０２１６】
その後、送信端末は、アドミッション要求を許可する旨を含むアドミッション応答パケットＡＤＤＴＳｒｅｐｌｙを受信し、該当のアクセス・カテゴリに属するトラフィックの送信を開始する。【０２１７】
（第２の具体例）
図１６は、アドミッションコントロールの第２の具体例を説明するためのフローチャートである。第２の具体例におけるＱｏＳ要求は、第１の具体例におけるＱｏＳ要求と同じである。【０２１８】
一連の動作が開始されると、送信端末は、上述した方法によって、自己における輻輳状態＝０、遅延時間＝０．０７ｓおよびパケット伝達率＝１．００を測定し（ステップＳ１０１）、その測定した輻輳状態＝０、遅延時間＝０．０７ｓおよびパケット伝達率＝１．００を含む特性測定用パケットＲＭＰを生成して中継端末１へ送信する（ステップＳ１０２）。【０２１９】
中継端末１は、送信端末から特性測定用パケットＲＭＰを受信すると、自己における輻輳状態＝０、遅延時間＝０．０３ｓおよびパケット伝達率＝１を測定するとともに（ステップＳ１０３）、その測定した輻輳状態＝０、遅延時間＝０．０３ｓおよびパケット伝達率＝１によって、特性測定用パケットＲＭＰに含まれる輻輳状態＝０、遅延時間＝０．０７ｓおよびパケット伝達率＝１．００をそれぞれ輻輳状態＝０、遅延時間＝０．１０ｓおよびパケット伝達率＝１に更新し、その更新した輻輳状態＝０、遅延時間＝０．１０ｓおよびパケット伝達率＝１を含む特性測定用パケットＲＭＰを中継端末２へ送信する（ステップＳ１０４）。【０２２０】
中継端末２は、中継端末１から特性測定用パケットＲＭＰを受信すると、自己における輻輳状態＝１、遅延時間＝０．０１ｓおよびパケット伝達率＝１を測定するとともに（ステップＳ１０５）、その測定した輻輳状態＝１、遅延時間＝０．０１ｓおよびパケット伝達率＝１によって、特性測定用パケットＲＭＰに含まれる輻輳状態＝０、遅延時間＝０．１０ｓおよびパケット伝達率＝１．００をそれぞれ輻輳状態＝１、遅延時間＝０．１１ｓおよびパケット伝達率＝１に更新し、その更新した輻輳状態＝１、遅延時間＝０．１１ｓおよびパケット伝達率＝１を含む特性測定用パケットＲＭＰを送信先端末へ送信する（ステップＳ１０６）。【０２２１】
送信先端末は、中継端末２から特性測定用パケットＲＭＰ＝［輻輳状態＝１／遅延時間＝０．１１ｓ／パケット伝達率＝１］を受信し、その受信した特性測定用パケットＲＭＰ＝［輻輳状態＝１／遅延時間＝０．１１ｓ／パケット伝達率＝１］から輻輳状態＝１／遅延時間＝０．１１ｓ／パケット伝達率＝１を検出し（ステップＳ１０７）、無線通信経路の特性を把握する（ステップＳ１０８）。【０２２２】
その後、送信端末の制御部１７７は、ａｄｍｉｔｔｅｄフィールドを“１”に設定し、かつ、ＱｏＳ要求＝［輻輳状態＝０、エンド・エンド間の遅延時間＝０．２以下、パケット伝達率＝０．９７以上］を明記したアドミッション要求パケットＡＤＤＴＳｒｅｑｕｅｓｔを作成して中継端末１へ送信する（ステップＳ１０９）。【０２２３】
中継端末１の制御部１７７は、送信端末からアドミッション要求パケットＡＤＤＴＳｒｅｑｕｅｓｔを受信すると、アドミッション要求パケットＡＤＤＴＳｒｅｑｕｅｓｔに含まれるＱｏＳ要求＝［輻輳状態＝０、エンド・エンド間の遅延時間＝０．２以下、パケット伝達率＝０．９７以上］を読出し、送信端末から中継端末１までの無線通信経路の特性である［輻輳状態＝０、遅延時間＝０．１０ｓおよびパケット伝達率＝１］に基づいて、送信端末からのトラフィックのＱｏＳ要求を許可するか拒否するかを判断する。【０２２４】
この場合、送信端末から中継端末１までの輻輳状態＝０は、ＱｏＳ要求に含まれる輻輳状態＝０を満たし、送信端末から中継端末１までの遅延時間＝０．１０ｓは、ＱｏＳ要求に含まれる遅延時間＝０．２ｓ以下を満たし、送信端末から中継端末１までのパケット伝達率＝１は、ＱｏＳ要求に含まれるパケット伝達率＝０．９７以上を満たすので、中継端末１の制御部１７７は、送信端末からのトラフィックのＱｏＳ要求を許可、即ち、送信端末からのアドミッション要求を許可する。そして、中継端末１の制御部１７７は、ａｄｍｉｔｔｅｄフィールドを“１”に維持したまま、アドミッション要求パケットＡＤＤＴＳｒｅｑｕｅｓｔを中継端末２へ送信する（ステップＳ１１０）。【０２２５】
中継端末２の制御部１７７は、中継端末１からアドミッション要求パケットＡＤＤＴＳｒｅｑｕｅｓｔを受信すると、アドミッション要求パケットＡＤＤＴＳｒｅｑｕｅｓｔに含まれるＱｏＳ要求＝［輻輳状態＝０、エンド・エンド間の遅延時間＝０．２以下、パケット伝達率＝０．９７以上］を読出し、送信端末から中継端末２までの無線通信経路の特性である［輻輳状態＝１、遅延時間＝０．１１ｓおよびパケット伝達率＝１］に基づいて、送信端末からのトラフィックのＱｏＳ要求を許可するか拒否するかを判断する。【０２２６】
この場合、送信端末から中継端末２までの輻輳状態＝１は、ＱｏＳ要求に含まれる輻輳状態＝０を満たさないので、中継端末２の制御部１７７は、送信端末からのトラフィックのＱｏＳ要求を拒否、即ち、送信端末からのアドミッション要求を拒否する。そして、中継端末２の制御部１７７は、ａｄｍｉｔｔｅｄフィールドを“０”に設定してアドミッション要求パケットＡＤＤＴＳｒｅｑｕｅｓｔを送信先端末へ送信する（ステップＳ１１１）。【０２２７】
送信先端末の制御部１７７は、中継端末２からアドミッション要求パケットＡＤＤＴＳｒｅｑｕｅｓｔを受信すると、アドミッション要求パケットＡＤＤＴＳｒｅｑｕｅｓｔのａｄｍｉｔｔｅｄフィールドが“０”に設定されていることを検出し、中継端末１，２のいずれかが送信端末からのアドミッション要求を拒否していることを検知する。【０２２８】
そうすると、送信先端末の制御部１７７は、輻輳によりアドミッション要求を拒否する旨をＳｔａｔｕｓ  ｃｏｄｅに格納したアドミッション応答パケットＡＤＤＴＳｒｅｐｌｙを作成して送信端末へ送信する（ステップＳ１１２）。【０２２９】
そして、送信端末は、アドミッション要求を拒否する旨を含むアドミッション応答パケットＡＤＤＴＳｒｅｐｌｙを受信し、トラフィックの送信を停止する。
（第３の具体例）
図１７は、アドミッションコントロールの第３の具体例を説明するためのフローチャートである。第３の具体例におけるＱｏＳ要求は、第１の具体例におけるＱｏＳ要求と同じである。【０２３０】
一連の動作が開始されると、送信端末は、上述した方法によって、自己における輻輳状態＝０、遅延時間＝０．０７ｓおよびパケット伝達率＝１．００を測定し（ステップＳ１２１）、その測定した輻輳状態＝０、遅延時間＝０．０７ｓおよびパケット伝達率＝１．００を含む特性測定用パケットＲＭＰを生成して中継端末１へ送信する（ステップＳ１２２）。【０２３１】
中継端末１は、送信端末から特性測定用パケットＲＭＰを受信すると、自己における輻輳状態＝０、遅延時間＝０．０５ｓおよびパケット伝達率＝１を測定するとともに（ステップＳ１２３）、その測定した輻輳状態＝０、遅延時間＝０．０５ｓおよびパケット伝達率＝１によって、特性測定用パケットＲＭＰに含まれる輻輳状態＝０、遅延時間＝０．０７ｓおよびパケット伝達率＝１．００をそれぞれ輻輳状態＝０、遅延時間＝０．１２ｓおよびパケット伝達率＝１に更新し、その更新した輻輳状態＝０、遅延時間＝０．１２ｓおよびパケット伝達率＝１を含む特性測定用パケットＲＭＰを中継端末２へ送信する（ステップＳ１２４）。【０２３２】
中継端末２は、中継端末１から特性測定用パケットＲＭＰを受信すると、自己における輻輳状態＝０、遅延時間＝０．０６ｓおよびパケット伝達率＝０．９０を測定するとともに（ステップＳ１２５）、その測定した輻輳状態＝０、遅延時間＝０．０６ｓおよびパケット伝達率＝０．９０によって、特性測定用パケットＲＭＰに含まれる輻輳状態＝０、遅延時間＝０．１２ｓおよびパケット伝達率＝１．００をそれぞれ輻輳状態＝０、遅延時間＝０．１８ｓおよびパケット伝達率＝０．９０に更新し、その更新した輻輳状態＝０、遅延時間＝０．１８ｓおよびパケット伝達率＝０．９０を含む特性測定用パケットＲＭＰを送信先端末へ送信する（ステップＳ１２６）。【０２３３】
送信先端末は、中継端末２から特性測定用パケットＲＭＰ＝［輻輳状態＝０／遅延時間＝０．１８ｓ／パケット伝達率＝０．９０］を受信し、その受信した特性測定用パケットＲＭＰ＝［輻輳状態＝０／遅延時間＝０．１８ｓ／パケット伝達率＝０．９０］から輻輳状態＝０／遅延時間＝０．１８ｓ／パケット伝達率＝０．９０を検出し（ステップＳ１２７）、無線通信経路の特性を把握する（ステップＳ１２８）。【０２３４】
その後、送信端末の制御部１７７は、ａｄｍｉｔｔｅｄフィールドを“１”に設定し、かつ、ＱｏＳ要求＝［輻輳状態＝０、エンド・エンド間の遅延時間＝０．２以下、パケット伝達率＝０．９７以上］を明記したアドミッション要求パケットＡＤＤＴＳｒｅｑｕｅｓｔを作成して中継端末１へ送信する（ステップＳ１２９）。【０２３５】
中継端末１の制御部１７７は、送信端末からアドミッション要求パケットＡＤＤＴＳｒｅｑｕｅｓｔを受信すると、アドミッション要求パケットＡＤＤＴＳｒｅｑｕｅｓｔに含まれるＱｏＳ要求＝［輻輳状態＝０、エンド・エンド間の遅延時間＝０．２以下、パケット伝達率＝０．９７以上］を読出し、送信端末から中継端末１までの無線通信経路の特性である［輻輳状態＝０、遅延時間＝０．１２ｓおよびパケット伝達率＝１］に基づいて、送信端末からのトラフィックのＱｏＳ要求を許可するか拒否するかを判断する。【０２３６】
この場合、送信端末から中継端末１までの輻輳状態＝０は、ＱｏＳ要求に含まれる輻輳状態＝０を満たし、送信端末から中継端末１までの遅延時間＝０．１２ｓは、ＱｏＳ要求に含まれる遅延時間＝０．２ｓ以下を満たし、送信端末から中継端末１までのパケット伝達率＝１は、ＱｏＳ要求に含まれるパケット伝達率＝０．９７以上を満たすので、中継端末１の制御部１７７は、送信端末からのトラフィックのＱｏＳ要求を許可、即ち、送信端末からのアドミッション要求を許可する。そして、中継端末１の制御部１７７は、ａｄｍｉｔｔｅｄフィールドを“１”に維持したまま、アドミッション要求パケットＡＤＤＴＳｒｅｑｕｅｓｔを中継端末２へ送信する（ステップＳ１３０）。【０２３７】
中継端末２の制御部１７７は、中継端末１からアドミッション要求パケットＡＤＤＴＳｒｅｑｕｅｓｔを受信すると、アドミッション要求パケットＡＤＤＴＳｒｅｑｕｅｓｔに含まれるＱｏＳ要求＝［輻輳状態＝０、エンド・エンド間の遅延時間＝０．２以下、パケット伝達率＝０．９７以上］を読出し、送信端末から中継端末２までの無線通信経路の特性である［輻輳状態＝０、遅延時間＝０．１８ｓおよびパケット伝達率＝１］に基づいて、送信端末からのトラフィックのＱｏＳ要求を許可するか拒否するかを判断する。【０２３８】
この場合、送信端末から中継端末２までの輻輳状態＝０は、ＱｏＳ要求に含まれる輻輳状態＝０を満たし、送信端末から中継端末２までの遅延時間＝０．１８ｓは、ＱｏＳ要求に含まれる遅延時間＝０．２ｓ以下を満たし、送信端末から中継端末２までのパケット伝達率＝１は、ＱｏＳ要求に含まれるパケット伝達率＝０．９７以上を満たすので、中継端末２の制御部１７７は、送信端末からのトラフィックのＱｏＳ要求を許可、即ち、送信端末からのアドミッション要求を許可する。そして、中継端末２の制御部１７７は、ａｄｍｉｔｔｅｄフィールドを“１”に維持したまま、アドミッション要求パケットＡＤＤＴＳｒｅｑｕｅｓｔを送信先端末へ送信する（ステップＳ１３１）。【０２３９】
送信先端末の制御部１７７は、中継端末２からアドミッション要求パケットＡＤＤＴＳｒｅｑｕｅｓｔを受信すると、アドミッション要求パケットＡＤＤＴＳｒｅｑｕｅｓｔのａｄｍｉｔｔｅｄフィールドが“１”に設定されていることを検出し、中継端末１，２が送信端末からのアドミッション要求を許可していることを検知する。【０２４０】
そうすると、送信先端末の制御部１７７は、ステップＳ１２８において受信した無線通信経路の特性＝［輻輳状態＝０、エンド・エンドの遅延時間＝０．１８ｓ、パケット伝達率＝０．９０］に基づいて、送信端末からのＱｏＳ要求＝［輻輳状態＝０、エンド・エンドの遅延時間＝０．２ｓ以下、パケット伝達率＝０．９７以上］を許可するか否かを判定する。【０２４１】
この場合、送信端末から送信先端末までのパケット伝達率＝０．９０は、ＱｏＳ要求に含まれるパケット伝達率＝０．９７以上を満たさないので、送信先端末の制御部１７７は、送信端末からのトラフィックのＱｏＳ要求を拒否、即ち、送信端末からのアドミッション要求を拒否する。そして、送信先端末の制御部１７７は、アドミッション要求を拒否する旨をＳｔａｔｕｓ  ｃｏｄｅに格納したアドミッション応答パケットＡＤＤＴＳｒｅｐｌｙを生成して送信端末へ送信する（ステップＳ１３２）。【０２４２】
その後、送信端末は、アドミッション要求を拒否する旨を含むアドミッション応答パケットＡＤＤＴＳｒｅｐｌｙを受信し、トラフィックの送信を停止する。【０２４３】
［中継端末における帯域確保］
図１８は、異なるトラフィックのアドミッション要求が同時に許可される場合の問題点を説明するための図である。中継端末１，２は、同一通信範囲内に存在する。そして、中継端末１が経路１上で送信端末１から送信されたＶｉｄｅｏ１を送信先端末１へ中継し、中継端末２が経路２上で送信端末２から送信されたＶｉｄｅｏ２を送信先端末２へ中継することが同時に決定された場合を考える。【０２４４】
この場合、これらの２つのトラフィックに対するアドミッション要求の許可は、中継端末１，２がそれぞれＶｉｄｅｏ１，２の中継を開始する前の無線通信経路の特性の測定結果に基づいて決定されたものであるため、中継端末１は、Ｖｉｄｅｏ２の影響を考慮しておらず、中継端末２は、Ｖｉｄｅｏ１の影響を考慮していない。【０２４５】
従って、これらの２つのトラフィックの通信が同時に開始されると、中継端末１，２の通信範囲内において、トラフィックが急激に増加し、輻輳が発生する恐れがある。【０２４６】
図１９は、図１８に示す輻輳を回避する方法を説明するための図である。上述した問題を回避するために、特定のトラフィックに対する中継サービスが決定された場合、各中継端末は、自己が行なう中継サービスを近隣の端末に知らせる必要がある。【０２４７】
中継端末１は、アドミッション応答パケットＡＤＤＴＳｒｅｐｌｙ１を送信先端末１から受信すると、その受信したアドミッション応答パケットＡＤＤＴＳｒｅｐｌｙ１を送信端末１へ転送する。この場合、中継端末１，２は、同一通信範囲内に存在するため、中継端末２は、中継端末１が送信したアドミッション応答パケットＡＤＤＴＳｒｅｐｌｙ１を受信する。【０２４８】
また、中継端末２は、送信先端末２からもアドミッション応答パケットＡＤＤＴＳｒｅｐｌｙ２を受信し、その受信したアドミッション応答パケットＡＤＤＴＳｒｅｐｌｙ２を送信端末２へ送信する。そして、中継端末１は、中継端末２が送信したアドミッション応答パケットＡＤＤＴＳｒｅｐｌｙ２を受信する。【０２４９】
そうすると、中継端末１，２の各々は、２つのアドミッション応答パケットＡＤＤＴＳｒｅｐｌｙ１，２を受信するため、その受信した２つのアドミッション応答パケットＡＤＤＴＳｒｅｐｌｙ１，２に明記されたＱｏＳ要求を満たすように帯域を確保する。【０２５０】
また、送信端末１，２は、それぞれ、アドミッション応答パケットＡＤＤＴＳｒｅｐｌｙ１，２を受信し、アドミッション要求が許可されたことを検知すると、それぞれ、アドミッション応答パケットＡＤＤＴＳｒｅｐｌｙ１，２をブロードキャストし、近い将来、新しいトラフィックの送信が開始されることを明示的に近隣の端末に知らせる。【０２５１】
このようにすることにより、２つのトラフィックを中継する２つの中継端末１，２が同一通信範囲内に存在していても、輻輳を回避できる。【０２５２】
上記においては、アドミッションコントロールを行なう制御部１７７（＝無線制御局）は、送信端末、中継端末１，２、送信先端末および集中制御端末のいずれかに設けられると説明したが、この発明によるマルチホップ無線ネットワークシステムにおいては、アドミッションコントロールを行なう制御部１７７（＝無線制御局）の配置位置は、どこであってもよい。従って、この発明によるマルチホップ無線ネットワークシステムは、送信端末と、中継端末と、送信先端末と、アドミッションコントロールを行なう無線制御局とを備えるものであればよい。アドミッションコントロールを行なう無線制御局を備えていれば、マルチホップ無線ネットワークシステムにおけるアドミッションコントロールを集中管理できるからである。【０２５３】
なお、ＱｏＳ要求は、「品質保持要求」を構成する。【０２５４】
また、アドミッション要求パケットＡＤＤＴＳｒｅｑｕｅｓｔは、「判断要求パケット」を構成する。【０２５５】
更に、アドミッション要求の許可を含むアドミッション応答パケットＡＤＤＴＳｒｅｐｌｙは、「第１の判断応答パケット」を構成し、アドミッション要求の拒否を含むアドミッション応答パケットＡＤＤＴＳｒｅｐｌｙは、「第２の判断応答パケット」を構成する。【０２５６】
更に、ａｄｍｉｔｔｅｄフィールドの設定値“１”は、「第１のフラグ」を構成し、ａｄｍｉｔｔｅｄフィールドの設定値“０”は、「第２のフラグ」を構成する。【０２５７】
更に、ＴＳＰＥＣは、「トラフィックの要求品質」を構成する。【０２５８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２５９】
この発明は、アドミッションコントロールが可能なマルチホップ無線ネットワークシステムに適用される。
【図１】
2007102208.tif 000003
【図２】
2007102208.tif 000004
【図３】
2007102208.tif 000005
【図４】
2007102208.tif 000006
【図５】
2007102208.tif 000007
【図６】
2007102208.tif 000008
【図７】
2007102208.tif 000009
【図８】
2007102208.tif 000010
【図９】
2007102208.tif 000011
【図１０】
2007102208.tif 000012
【図１１】
2007102208.tif 000013
【図１２】
2007102208.tif 000014
【図１３】
2007102208.tif 000015
【図１４】
2007102208.tif 000016
【図１５】
2007102208.tif 000017
【図１６】
2007102208.tif 000018
【図１７】
2007102208.tif 000019
【図１８】
2007102208.tif 000020
【図１９】
2007102208.tif 000021
【国際調査報告】
2007102208.tif 000022
2007102208.tif 000023